(57)【要約】  本出願は、時間−周波数リソース割り当て方法および装置を提供し、通信技術の分野に関する。本方法は、割り当て対象のユーザ機器UEに時間−周波数リソースをスケジュールするとき、割り当て対象のUEのアップリンク参照信号を取得するステップと、取得されたアップリンク参照信号に基づいて、第1のプリセット数のビームを含む第2のプリセット数の直交ビーム群における各ビームを、各ビームのレベルを判定するために測定するステップと、次に、各ビームのレベルに基づいて、割り当て対象のUEのものであり、第2のプリセット数の直交ビーム群におけるビーム属性を判定するステップと、次に、割り当て対象のUEのものであり、第2のプリセット数の直交ビーム群におけるビーム属性と、1つまたは複数の割り当て済みのUEのものであり、第2のプリセット数の直交ビーム群におけるビーム属性とに基づいて、割り当て対象のUEに時間−周波数リソースを割り当てるステップであって、割り当て済みのUEが同じ時間−周波数リソースを使用し、同じ時間−周波数リソースが、同じ時間−周波数リソースブロックRBまたは同じ時間−周波数リソースブロックグループRBGである、ステップとを含む。本出願によれば、時間−周波数リソースの利用が改善され得る。
2021530136.tif 000002
【特許請求の範囲】
【請求項１】
時間−周波数リソース割り当て方法であって、前記方法が、
割り当て対象のユーザ機器UEのアップリンク参照信号を取得するステップであって、前記アップリンク参照信号が、アップリンクチャネルサウンディング参照信号SRSおよび／または特定の参照信号DMRSを含む、ステップと、
前記アップリンク参照信号に基づいて、第1のプリセット数のビームを含む第2のプリセット数の直交ビーム群における各ビームを、各ビームのレベルを判定するために測定するステップと、
各ビームの前記レベルに基づいて、前記割り当て対象のUEのものであり、前記第2のプリセット数の直交ビーム群におけるビーム属性を判定するステップと、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当てるステップであって、前記割り当て済みのUEが同じ時間−周波数リソースを使用し、前記同じ時間−周波数リソースが、同じ時間−周波数リソースブロックRBまたは同じ時間−周波数リソースブロックグループRBGである、ステップと
を含む、方法。
【請求項２】
前記アップリンク参照信号に基づいて、第1のプリセット数のビームを含む第2のプリセット数の直交ビーム群における各ビームを、各ビームのレベルを判定するために測定する、前記ステップが、
前記アップリンク参照信号に基づいて、前記第1のプリセット数のビームを含む前記第2のプリセット数の直交ビーム群における各ビームを、各ビームの等価チャネル応答を判定するために測定するステップと、
各ビームの前記等価チャネル応答に基づいて、各ビームの前記レベルを判定するステップと
を含む、請求項1に記載の方法。
【請求項３】
各ビームの前記レベルに基づいて、前記割り当て対象のUEのものであり、前記第2のプリセット数の直交ビーム群におけるビーム属性を判定する、前記ステップが、
各直交ビーム群について、プリセット条件を満たすターゲットビームが前記直交ビーム群に存在する場合、前記割り当て対象のUEのものであり、前記直交ビーム群におけるビーム属性が前記ターゲットビームであると判定するステップ、またはプリセット条件を満たすビームが前記直交ビーム群に存在しない場合、前記割り当て対象のUEのものであり、前記直交ビーム群におけるビーム属性が結合属性であると判定するステップであって、前記プリセット条件が、前記ターゲットビームのレベルと前記直交ビーム群における前記ターゲットビーム以外のビームのレベルとの間の差がプリセット値以上であることである、ステップ
を含む、請求項1に記載の方法。
【請求項４】
前記割り当て対象のUEおよび前記割り当て済みのUEに割り当てられた時間−周波数リソースが、ダウンリンク伝送に使用され、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当てる、前記ステップが、
前記割り当て対象のUEの伝送モードおよび前記割り当て済みのUEの伝送モードを判定するステップと、
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEに前記時間−周波数リソースを割り当てるステップと
を含む、請求項1から3のいずれか一項に記載の方法。
【請求項５】
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEに前記時間−周波数リソースを割り当てる、前記ステップが、
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てるステップ
を含む、請求項4に記載の方法。
【請求項６】
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てる、前記ステップが、
セル固有の参照信号CRSベースのマルチプル・インプット・マルチプル・アウトプットMIMO伝送モードを使用する少なくとも1つのUEが前記割り当て対象のUEおよび前記割り当て済みのUEに存在する場合、前記割り当て対象のUEが属するセルの物理セル識別子PCIと、前記割り当て済みのUEが属するセルのPCIとを取得するステップと、
前記割り当て対象のUEのものであり、前記第2のプリセット数の直交ビーム群における前記ビーム属性と、前記割り当て済みのUEのものであり、前記第2のプリセット数の直交ビーム群における前記ビーム属性と、前記割り当て対象のUEが属する前記セルの前記PCIと、前記割り当て済みのUEが属する前記セルの前記PCIとに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てるステップと
を含む、請求項5に記載の方法。
【請求項７】
前記割り当て対象のUEのものであり、前記第2のプリセット数の直交ビーム群における前記ビーム属性と、前記割り当て済みのUEのものであり、前記第2のプリセット数の直交ビーム群における前記ビーム属性と、前記割り当て対象のUEが属する前記セルの前記PCIと、前記割り当て済みのUEが属する前記セルの前記PCIとに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てる、前記ステップが、
前記割り当て対象のUEおよび前記割り当て済みのUEが前記直交マッチング条件を満たすと判定された後、前記割り当て対象のUEの前記伝送モードが前記MIMO伝送モードであり、前記割り当て対象のUEが属する前記セルの前記PCIが、前記割り当て済みのUEにあり、その伝送モードが前記MIMO伝送モードであるUEが属するセルのPCIとは異なり、前記割り当て対象のUEが属する前記セルの前記PCIが、前記割り当て済みのUEにあり、その伝送モードがBF伝送モードであるUEが属するセルのPCIとは異なり、前記第2のプリセット数の直交ビーム群のうちの少なくとも1つにおいて、前記割り当て対象のUEのビーム属性も、前記割り当て済みのUEにおける第1のUEのビーム属性も前記結合属性ではなく、前記割り当て対象のUEの前記ビーム属性が、前記第1のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当てるステップであって、前記第1のUEが前記割り当て済みのUEにおける任意のUEである、ステップ、または
前記割り当て対象のUEおよび前記割り当て済みのUEが前記直交マッチング条件を満たすと判定された後、前記割り当て対象のUEの前記伝送モードがBF伝送モードであり、前記割り当て対象のUEが属する前記セルの前記PCIが、前記割り当て済みのUEにあり、その伝送モードが前記MIMO伝送モードであるUEが属するセルのPCIとは異なり、前記第2のプリセット数の直交ビーム群のうちの少なくとも1つにおいて、前記割り当て対象のUEのビーム属性も、前記割り当て済みのUEにおける第2のUEのビーム属性も前記結合属性ではなく、前記割り当て対象のUEの前記ビーム属性が、前記割り当て済みのUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当てるステップであって、前記第2のUEが前記割り当て済みのUEにおける任意のUEである、ステップ
を含む、請求項6に記載の方法。
【請求項８】
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てる、前記ステップが、
前記割り当て対象のUEおよび前記割り当て済みのUEが前記直交マッチング条件を満たすと判定された後、前記割り当て対象のUEおよび前記割り当て済みのUEの前記伝送モードがそれぞれBF伝送モードであり、前記第2のプリセット数の直交ビーム群のうちの少なくとも1つにおいて、前記割り当て対象のUEのビーム属性も前記割り当て済みのUEにおける第3のUEのビーム属性も前記結合属性ではなく、前記割り当て対象のUEの前記ビーム属性が、前記第3のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当てるステップであって、前記第3のUEが前記割り当て済みのUEにおける任意のUEである、ステップ
を含む、請求項5に記載の方法。
【請求項９】
前記割り当て対象のUEおよび前記割り当て済みのUEに割り当てられた時間−周波数リソースが、アップリンク伝送に使用され、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当てる、前記ステップが、
前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てるステップ
を含む、請求項1から3のいずれか一項に記載の方法。
【請求項１０】
前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てる、前記ステップが、
前記割り当て対象のUEが属するセルのPCIと、前記割り当て済みのUEが属するセルのPCIとを取得するステップと、
前記割り当て対象のUEが属する前記セルの前記PCIと、前記割り当て済みのUEが属する前記セルの前記PCIと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てるステップと
を含む、請求項9に記載の方法。
【請求項１１】
前記割り当て対象のUEが属する前記セルの前記PCIと、前記割り当て済みのUEが属する前記セルの前記PCIと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てる、前記ステップが、
前記割り当て対象のUEおよび前記割り当て済みのUEが前記直交マッチング条件を満たすと判定された後、前記割り当て対象のUEが属する前記セルの前記PCIが、前記割り当て済みのUEにおける任意のUEが属するセルのPCIとは異なり、前記第2のプリセット数の直交ビーム群のうちの少なくとも1つにおいて、前記割り当て対象のUEのビーム属性も、前記割り当て済みのUEにおける第4のUEのビーム属性も前記結合属性ではなく、前記割り当て対象のUEの前記ビーム属性が、前記第4のUEのビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当てるステップであって、前記第4のUEが前記割り当て済みのUEにおける任意のUEである、ステップ
を含む、請求項10に記載の方法。
【請求項１２】
時間−周波数リソース割り当て基地局であって、前記基地局がプロセッサを備え、
前記プロセッサが、
割り当て対象のユーザ機器UEのアップリンク参照信号を取得し、前記アップリンク参照信号が、アップリンクチャネルサウンディング参照信号SRSおよび／または特定の参照信号DMRSを含み、
前記アップリンク参照信号に基づいて、第1のプリセット数のビームを含む第2のプリセット数の直交ビーム群における各ビームを、各ビームのレベルを判定するために測定し、
各ビームの前記レベルに基づいて、前記割り当て対象のUEのものであり、前記第2のプリセット数の直交ビーム群におけるビーム属性を判定し、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当て、前記割り当て済みのUEが同じ時間−周波数リソースを使用し、前記同じ時間−周波数リソースが、同じ時間−周波数リソースブロックRBまたは同じ時間−周波数リソースブロックグループRBGである、
ように構成される、基地局。
【請求項１３】
前記プロセッサが、
前記アップリンク参照信号に基づいて、前記第1のプリセット数のビームを含む前記第2のプリセット数の直交ビーム群における各ビームを、各ビームの等価チャネル応答を判定するために測定し、
各ビームの前記等価チャネル応答に基づいて、各ビームの前記レベルを判定する、
ように構成される、請求項12に記載の基地局。
【請求項１４】
前記プロセッサが、
各直交ビーム群について、プリセット条件を満たすターゲットビームが前記直交ビーム群に存在する場合、前記割り当て対象のUEのものであり、前記直交ビーム群におけるビーム属性が前記ターゲットビームであると判定する、またはプリセット条件を満たすビームが前記直交ビーム群に存在しない場合、前記割り当て対象のUEのものであり、前記直交ビーム群におけるビーム属性が結合属性であると判定し、前記プリセット条件が、前記ターゲットビームのレベルと前記直交ビーム群における前記ターゲットビーム以外のビームのレベルとの間の差がプリセット値以上であることである、
ように構成される、請求項12に記載の基地局。
【請求項１５】
前記割り当て対象のUEおよび前記割り当て済みのUEに割り当てられた時間−周波数リソースが、ダウンリンク伝送に使用され、
前記プロセッサが、
前記割り当て対象のUEの伝送モードおよび前記割り当て済みのUEの伝送モードを判定し、
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEに前記時間−周波数リソースを割り当てる、
ように構成される、請求項12から14のいずれか一項に記載の基地局。
【請求項１６】
前記プロセッサが、
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群におけるビーム属性とに基づいて、前記割り当て対象のUEおよび前記割り当て済みのUEが直交マッチング条件を満たすことが判定された場合、前記割り当て対象のUEに、前記割り当て済みのUEに割り当てられた前記時間−周波数リソースが属する同じ時間−周波数リソース内の時間−周波数リソースを割り当てる、
ように構成される、請求項15に記載の基地局。
【請求項１７】
前記プロセッサが、
マルチプル・インプット・マルチプル・アウトプットMIMO伝送モードを使用する少なくとも1つのUEが、前記割り当て対象のUEおよび前記割り当て済みのUEに存在する場合、前記割り当て対象のUEが属するセルの物理セル識別子PCIと、前記割り当て済みのUEが属するセルのPCIとを取得し、
前記割り当て対象のUEのものであり、前記第2のプリセット数の直交ビーム群における前記ビーム属性と、前記割り当て済みのUEのものであり、前記第2のプリセット数の直交ビーム群における前記ビーム属性と、前記割り当て対象のUEが属する前記セルの前記PCIと、前記割り当て済みのUEが属する前記セルの前記PCIとに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てる、
ように構成される、請求項16に記載の基地局。
【請求項１８】
前記プロセッサが、
前記割り当て対象のUEおよび前記割り当て済みのUEが前記直交マッチング条件を満たすと判定された後、前記割り当て対象のUEの前記伝送モードが前記MIMO伝送モードであり、前記割り当て対象のUEが属する前記セルの前記PCIが、前記割り当て済みのUEにあり、その伝送モードが前記MIMO伝送モードであるUEが属するセルのPCIとは異なり、前記割り当て対象のUEが属する前記セルの前記PCIが、前記割り当て済みのUEにあり、その伝送モードがBF伝送モードであるUEが属するセルのPCIとは異なり、前記第2のプリセット数の直交ビーム群のうちの少なくとも1つにおいて、前記割り当て対象のUEのビーム属性も、前記割り当て済みのUEにおける第1のUEのビーム属性も前記結合属性ではなく、前記割り当て対象のUEの前記ビーム属性が、前記第1のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当て、前記第1のUEが前記割り当て済みのUEにおける任意のUEである、または
前記割り当て対象のUEおよび前記割り当て済みのUEが直交マッチング条件を満たすと判定された後、前記割り当て対象のUEの前記伝送モードがBF伝送モードであり、前記割り当て対象のUEが属する前記セルの前記PCIが、前記割り当て済みのUEにあり、その伝送モードが前記MIMO伝送モードであるUEが属するセルのPCIとは異なり、前記第2のプリセット数の直交ビーム群のうちの少なくとも1つにおいて、前記割り当て対象のUEのビーム属性も、前記割り当て済みのUEにおける第2のUEのビーム属性も前記結合属性ではなく、前記割り当て対象のUEの前記ビーム属性が、前記割り当て済みのUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当て、前記第2のUEが前記割り当て済みのUEにおける任意のUEである、
ように構成される、請求項17に記載の基地局。
【請求項１９】
前記プロセッサが、
前記割り当て対象のUEおよび前記割り当て済みのUEが前記直交マッチング条件を満たすと判定された後、前記割り当て対象のUEおよび前記割り当て済みのUEの前記伝送モードがそれぞれBF伝送モードであり、前記第2のプリセット数の直交ビーム群のうちの少なくとも1つにおいて、前記割り当て対象のUEのビーム属性も、前記割り当て済みのUEにおける第3のUEのビーム属性も前記結合属性ではなく、前記割り当て対象のUEの前記ビーム属性が、前記第3のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当て、前記第2のUEが前記割り当て済みのUEにおける任意のUEである、
ように構成される、請求項16に記載の基地局。
【請求項２０】
前記割り当て対象のUEおよび前記割り当て済みのUEに割り当てられた時間−周波数リソースがアップリンク伝送に使用され、
前記プロセッサが、
前記割り当て対象のUEのものであり、前記第2のプリセット数の直交ビーム群における前記ビーム属性と、前記割り当て済みのUEのものであり、前記第2のプリセット数の直交ビーム群におけるビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てる、
ように構成される、請求項12から14のいずれか一項に記載の基地局。
【請求項２１】
前記プロセッサが、
前記割り当て対象のUEが属するセルのPCIと、前記割り当て済みのUEが属するセルのPCIとを取得し、
前記割り当て対象のUEが属する前記セルの前記PCIと、前記割り当て済みのUEが属する前記セルの前記PCIと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てる
ように構成される、請求項20に記載の基地局。
【請求項２２】
前記プロセッサが、
前記割り当て対象のUEおよび前記割り当て済みのUEが前記直交マッチング条件を満たすと判定された後、前記割り当て対象のUEが属する前記セルの前記PCIが、前記割り当て済みのUEにおける任意のUEが属するセルのPCIとは異なり、前記第2のプリセット数の直交ビーム群のうちの少なくとも1つにおいて、前記割り当て対象のUEのビーム属性も、前記割り当て済みのUEにおける第4のUEのビーム属性も前記結合属性ではなく、前記割り当て対象のUEの前記ビーム属性が、前記第4のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当て、前記第4のUEが前記割り当て済みのUEにおける任意のUEである、
ように構成される、請求項21に記載の基地局。
【請求項２３】
時間−周波数リソース割り当て装置であって、前記装置が、
割り当て対象のユーザ機器UEのアップリンク参照信号を取得し、前記アップリンク参照信号が、アップリンクチャネルサウンディング参照信号SRSおよび／または特定の参照信号DMRSを含む、ように構成される取得モジュールと、
前記アップリンク参照信号に基づいて、第1のプリセット数のビームを含む第2のプリセット数の直交ビーム群における各ビームを、各ビームのレベルを判定するために測定し、各ビームの前記レベルに基づいて、前記割り当て対象のUEのものであり、前記第2のプリセット数の直交ビーム群におけるビーム属性を判定する、ように構成される判定モジュールと、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当て、前記割り当て済みのUEが同じ時間−周波数リソースを使用し、前記同じ時間−周波数リソースが、同じ時間−周波数リソースブロックRBまたは同じ時間−周波数リソースブロックグループRBGである、ように構成される割り当てモジュールと
を備える、装置。
【請求項２４】
前記判定モジュールが、
前記アップリンク参照信号に基づいて、前記第1のプリセット数のビームを含む前記第2のプリセット数の直交ビーム群における各ビームを、各ビームの等価チャネル応答を判定するために測定し、
各ビームの前記等価チャネル応答に基づいて、各ビームの前記レベルを判定する、
ように構成される、請求項23に記載の装置。
【請求項２５】
前記判定モジュールが、
各直交ビーム群について、プリセット条件を満たすターゲットビームが前記直交ビーム群に存在する場合、前記割り当て対象のUEのものであり、前記直交ビーム群におけるビーム属性が前記ターゲットビームであると判定する、またはプリセット条件を満たすビームが前記直交ビーム群に存在しない場合、前記割り当て対象のUEのものであり、前記直交ビーム群におけるビーム属性が結合属性であると判定し、前記プリセット条件が、前記ターゲットビームのレベルと前記直交ビーム群における前記ターゲットビーム以外のビームのレベルとの間の差がプリセット値以上であることである、
ように構成される、請求項23に記載の装置。
【請求項２６】
前記割り当て対象のUEおよび前記割り当て済みのUEに割り当てられた時間−周波数リソースが、ダウンリンク伝送に使用され、
前記割り当てモジュールが、
前記割り当て対象のUEの伝送モードおよび前記割り当て済みのUEの伝送モードを判定し、
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEに前記時間−周波数リソースを割り当てる、
ように構成される、請求項23から25のいずれか一項に記載の装置。
【請求項２７】
前記割り当てモジュールが、
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすことが判定された場合、前記割り当て対象のUEに、前記割り当て済みのUEに割り当てられた前記時間−周波数リソースが属する同じ時間−周波数リソース内の時間−周波数リソースを割り当てる、
ように構成される、請求項26に記載の装置。
【請求項２８】
前記割り当てモジュールが、
マルチプル・インプット・マルチプル・アウトプットMIMO伝送モードを使用する少なくとも1つのUEが、前記割り当て対象のUEおよび前記割り当て済みのUEに存在する場合、前記割り当て対象のUEが属するセルの物理セル識別子PCIと、前記割り当て済みのUEが属するセルのPCIとを取得し、
前記割り当て対象のUEのものであり、前記第2のプリセット数の直交ビーム群における前記ビーム属性と、前記割り当て済みのUEのものであり、前記第2のプリセット数の直交ビーム群における前記ビーム属性と、前記割り当て対象のUEが属する前記セルの前記PCIと、前記割り当て済みのUEが属する前記セルの前記PCIとに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てる、
ように構成される、請求項27に記載の装置。
【請求項２９】
前記割り当てモジュールが、
前記割り当て対象のUEおよび前記割り当て済みのUEが前記直交マッチング条件を満たすと判定された後、前記割り当て対象のUEの前記伝送モードが前記MIMO伝送モードであり、前記割り当て対象のUEが属する前記セルの前記PCIが、前記割り当て済みのUEにあり、その伝送モードが前記MIMO伝送モードであるUEが属するセルのPCIとは異なり、前記割り当て対象のUEが属する前記セルの前記PCIが、前記割り当て済みのUEにあり、その伝送モードがBF伝送モードであるUEが属するセルのPCIとは異なり、前記第2のプリセット数の直交ビーム群のうちの少なくとも1つにおいて、前記割り当て対象のUEのビーム属性も、前記割り当て済みのUEにおける第1のUEのビーム属性も前記結合属性ではなく、前記割り当て対象のUEの前記ビーム属性が、前記第1のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当て、前記第1のUEが前記割り当て済みのUEにおける任意のUEである、または
前記割り当て対象のUEおよび前記割り当て済みのUEが前記直交マッチング条件を満たすと判定された後、前記割り当て対象のUEの前記伝送モードがBF伝送モードであり、前記割り当て対象のUEが属する前記セルの前記PCIが、前記割り当て済みのUEにあり、その伝送モードが前記MIMO伝送モードであるUEが属するセルのPCIとは異なり、前記第2のプリセット数の直交ビーム群のうちの少なくとも1つにおいて、前記割り当て対象のUEのビーム属性も、前記割り当て済みのUEにおける第2のUEのビーム属性も前記結合属性ではなく、前記割り当て対象のUEの前記ビーム属性が、前記割り当て済みのUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当て、前記第2のUEが前記割り当て済みのUEにおける任意のUEである、
ように構成される、請求項28に記載の装置。
【請求項３０】
前記割り当てモジュールが、
前記割り当て対象のUEおよび前記割り当て済みのUEが前記直交マッチング条件を満たすと判定された後、前記割り当て対象のUEおよび前記割り当て済みのUEの前記伝送モードがそれぞれBF伝送モードであり、前記第2のプリセット数の直交ビーム群のうちの少なくとも1つにおいて、前記割り当て対象のUEのビーム属性も、前記割り当て済みのUEにおける第3のUEのビーム属性も前記結合属性ではなく、前記割り当て対象のUEの前記ビーム属性が、前記第3のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当て、前記第2のUEが前記割り当て済みのUEにおける任意のUEである、
ように構成される、請求項27に記載の装置。
【請求項３１】
前記割り当て対象のUEおよび前記割り当て済みのUEに割り当てられた時間−周波数リソースがアップリンク伝送に使用され、
前記割り当てモジュールが、
前記割り当て対象のUEのものであり、前記第2のプリセット数の直交ビーム群における前記ビーム属性と、前記割り当て済みのUEのものであり、前記第2のプリセット数の直交ビーム群におけるビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てる、
ように構成される、請求項23から25のいずれか一項に記載の装置。
【請求項３２】
前記割り当てモジュールが、
前記割り当て対象のUEが属するセルのPCIと、前記割り当て済みのUEが属するセルのPCIとを取得し、
前記割り当て対象のUEが属する前記セルの前記PCIと、前記割り当て済みのUEが属する前記セルの前記PCIと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てる、
ように構成される、請求項31に記載の装置。
【請求項３３】
前記割り当てモジュールが、
前記割り当て対象のUEおよび前記割り当て済みのUEが前記直交マッチング条件を満たすと判定された後、前記割り当て対象のUEが属する前記セルの前記PCIが、前記割り当て済みのUEにおける任意のUEが属するセルのPCIとは異なり、前記第2のプリセット数の直交ビーム群のうちの少なくとも1つにおいて、前記割り当て対象のUEのビーム属性も、前記割り当て済みのUEにおける第4のUEのビーム属性も前記結合属性ではなく、前記割り当て対象のUEの前記ビーム属性が、前記第4のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当て、前記第4のUEが前記割り当て済みのUEにおける任意のUEである、
ように構成される、請求項32に記載の装置。
【請求項３４】
命令を含むコンピュータプログラム製品であって、前記コンピュータプログラム製品が基地局上で実行されると、前記基地局が請求項1から11のいずれか一項に記載の方法を実行することが可能になる、コンピュータプログラム製品。
【請求項３５】
コンピュータ可読記憶媒体であって、前記コンピュータ可読記憶媒体が命令を記憶し、前記コンピュータ可読記憶媒体が基地局上で実行されると、前記基地局が請求項1から11のいずれか一項に記載の方法を実行することが可能になる、コンピュータ可読記憶媒体。
【発明の詳細な説明】
【技術分野】
【０００１】
本出願は、参照によりその全体が本明細書に組み込まれる、2018年6月20日に出願され、「TIME−FREQUENCY RESOURCE ALLOCATION METHOD AND APPARATUS」と題する、中国特許出願第201810636394．8号の優先権を主張する。
【０００２】
本出願は、通信技術の分野に関し、具体的には、時間−周波数リソース割り当て方法および装置に関する。
【背景技術】
【０００３】
通信技術の発展に伴い、より多くの4Gユーザ機器が出現し、ネットワークのカバレッジおよび品質に対してより高い要件が課せられている。規模の大きいネットワークカバレッジを実装し、ネットワーク品質を向上させるために、ネットワークカバレッジおよびネットワーク容量を向上させるためのソフトスプリット技術が、新しいデバイス（基地局など）を追加することなく、限られた時間−周波数リソースで使用される。ソフトスプリット技術は、基地局のセクタの数を増やすために基地局のセクタを適切に分割する。増加したセクタのカバレッジにはより多くのキャリアが割り当てられる。キャリアの数が増えると、ユーザ機器の数も増える。したがって、ネットワーク拡張が実装され得、分割後に得られるセクタのビームが狭くなり、カバレッジが大きくなる。
【０００４】
関連技術では、ソフトスプリット技術は、アンテナの位相重みおよび振幅を調整することにより、従来の3セクタ基地局を6セル基地局に通常変更する。ソフトスプリット技術は、周波数内ソフトスプリットを含み得る。周波数内ソフトスプリットにより、1つのセルが対称的なカバレッジを持つ2つのセルに分割され、分割後に得られた2つのセル内のユーザ機器（User equipment、UE）は同じ時間−周波数リソースを使用し得る。つまり、2つのセルの時間−周波数リソースでの空間多重化が実装される。例えば、（20Mの周波数範囲の）F周波数帯域にあるセルは、周波数内ソフトスプリットによって2つの隣接する周波数内セルに分割され得る。分割後に得られた2つの隣接する周波数内セルの使用可能な周波数帯域は20M＋20Mである。周波数内ソフトスプリット後、基地局は2つのセルの時間−周波数リソースを個別にスケジュールする。
【０００５】
このアプリケーションを実装する過程で、発明者らは、関連技術が少なくとも次の問題を有することを見出した。
【０００６】
分割後に得られた2つのセルのカバレッジは対称的であるが、2つのセル内のUE分布は対称的でない場合がある。一方のセルには、他方のセルよりも多くのUEが存在する場合がある（例えば、セル1には10個のUEがあり、セル2には1つのUEしかない）。この場合、2つの時間−周波数リソースは空間的に多重化されるが、基地局は、2つのセルについて時間−周波数リソースを個別にスケジュールする。その結果、UEの数が少ないセルの時間−周波数リソースは効果的に使用されない。
【発明の概要】
【課題を解決するための手段】
【０００７】
関連技術の問題を解決するために、本発明の実施形態は、時間−周波数リソース割り当て方法および装置を提供する。技術的解決策は以下のとおりである。
【０００８】
第1の態様によれば、時間−周波数リソース割り当て方法が提供される。本方法は、
割り当て対象のユーザ機器UEのアップリンク参照信号を取得するステップであって、アップリンク参照信号が、アップリンクチャネルサウンディング参照信号SRSおよび／または特定の参照信号DMRSを含む、ステップと、アップリンク参照信号に基づいて、第1のプリセット数のビームを含む第2のプリセット数の直交ビーム群における各ビームを、各ビームのレベルを判定するために測定するステップと、各ビームのレベルに基づいて、割り当て対象のUEのものであり、第2のプリセット数の直交ビーム群におけるビーム属性を判定するステップと、割り当て対象のUEのものであり、第2のプリセット数の直交ビーム群におけるビーム属性と、1つまたは複数の割り当て済みのUEのものであり、第2のプリセット数の直交ビーム群におけるビーム属性とに基づいて、割り当て対象のUEに時間−周波数リソースを割り当てるステップであって、割り当て済みのUEが同じ時間−周波数リソースを使用し、同じ時間−周波数リソースが、同じ時間−周波数リソースブロックRBまたは同じ時間−周波数リソースブロックグループRBGである、ステップと
を含む。
【０００９】
直交ビーム群は、含まれる複数のビームが互いに干渉しないこと、または複数のビーム間の干渉が特定の閾値未満であり、通常のデータ送信および受信に影響を及ぼさないことを意味する。第1のプリセット数のビームは、当業者によって基地局のアンテナのステータスに基づいて構成され得る。第1のプリセット数のビームは、基地局のアンテナの重み付け係数、振幅などの調整を通じて、第2のプリセット数の直交ビーム群を形成し得る。例えば、合計でM本のビームがある。基地局のアンテナの重み付け係数および振幅が調整されるたびに、M本のビームに基づいてM本の他のビームが生成され得、M本の生成されたビームはM本のビームに直交する。N本の直交ビーム群がN−1回の調整で得られ、第2のプリセット数はNである。レベルはビームの等価パワーを指す。
【００１０】
本発明の本実施形態に示される解決策では、基地局が分割後に得られたセル内のUEにデータを送信しようとする場合、または分割後に得られたセル内のUEが基地局にデータを送信しようとする場合、基地局は、ユーザデータ送信のための時間−周波数リソースをUEに割り当てる必要がある。時間−周波数リソースを割り当てるとき、基地局は、割り当て対象のUEのアップリンク参照信号を取得し得る。アップリンク参照信号は、アップリンクチャネルサウンディング参照信号（Sounding Reference Signal、SRS）および／または特定の参照信号（Demodulation Reference Signal、DMRS）を含む。SRSは、UEによって基地局に通常定期的に送信され、基地局によってアップリンクチャネル推定を実行するために使用され、サブフレームの最後のシンボルで通常送信される。DMRSは、UE固有の物理ダウンリンク共有チャネル（Physical Downlink Shared Channel、PDSCH）の送信のために割り当てられたリソースブロック（Resource Block、RB）でのみ通常送信される。
【００１１】
基地局が、割り当て対象のUEによって現在の周期において送信されたSRSを受信した場合、基地局は、現在の周期におけるSRSを取得し得る、または基地局が、割り当て対象のUEによって現在の周期において送信されたSRSを受信しない場合、基地局は、割り当て対象のUEによって以前の周期において送信されたSRSを取得し得る。加えて、基地局は、割り当て対象のUEが最後にデータを送信したときに使用されたDMRSを取得し得る。
【００１２】
次に、基地局は、取得されたアップリンク参照信号に基づいて、各直交ビーム群における任意のビームを、任意のビームのレベルを取得するために測定し得る。
【００１３】
各直交ビーム群における各ビームのレベルを判定した後、基地局は、各ビームのレベルに基づいて、割り当て対象のUEのものであり、各直交ビーム群におけるビーム属性を判定し得る。最後に、基地局が、割り当て対象のUEのものであり、各直交ビーム群におけるビーム属性を判定した後、基地局は、同じ時間−周波数リソース上にある割り当て済みのUEを取得し（割り当て済みのUEおよび割り当て対象のUEが、同じセルまたは分割後に得られた2つのセルに属する）、次いで、割り当て済みのUEのものであり、第2のプリセット数のビーム群のそれぞれにおけるビーム属性を取得し得る（判定方法が、割り当て対象のUEのビーム属性を判定するための上述の方法と同じであり、ここでは詳細は再度説明されない）。次に、基地局は、割り当て対象のUEのビーム属性および割り当て済みのUEのビーム属性に基づいて、割り当て対象のUEに時間−周波数リソースを割り当てる。
【００１４】
可能な実装形態では、アップリンク参照信号に基づいて、第1のプリセット数のビームを含む第2のプリセット数の直交ビーム群における各ビームを、各ビームのレベルを判定するために測定するステップが、アップリンク参照信号に基づいて、第1のプリセット数のビームを含む第2のプリセット数の直交ビーム群における各ビームを、各ビームの等価チャネル応答を判定するために測定するステップと、各ビームの等価チャネル応答に基づいて、各ビームのレベルを判定するステップとを含む。
【００１５】
本発明の本実施形態の解決策では、基地局は、第2のプリセット数の直交ビーム群のいずれかにおける各ビームの等価チャネル応答を判定し得る。このようにして、各直交ビーム群における各ビームの等価チャネル応答が取得され得、各直交ビーム群における各ビームの等価チャネル応答に基づいて、各ビームのレベルが判定される。
【００１６】
可能な実装形態では、各ビームのレベルに基づいて、割り当て対象のUEのものであり、第2のプリセット数の直交ビーム群におけるビーム属性を判定するステップが、各直交ビーム群について、プリセット条件を満たすターゲットビームが直交ビーム群に存在する場合、割り当て対象のUEのものであり、直交ビーム群におけるビーム属性がターゲットビームであると判定するステップ、またはプリセット条件を満たすビームが直交ビーム群に存在しない場合、割り当て対象のUEのものであり、直交ビーム群におけるビーム属性が結合属性であると判定するステップであって、プリセット条件が、ターゲットビームのレベルと直交ビーム群におけるターゲットビーム以外のビームのレベルとの間の差がプリセット値以上であることである、ステップを含む。
【００１７】
プリセット条件は、プリセットされて基地局に保存され得る。プリセット条件は、ターゲットビームのレベルと直交ビーム群におけるターゲットビーム以外のビームのレベルとの間の差がプリセット値よりも大きいことである。1つまたは複数のターゲットビームがある。プリセット値は、プリセットされて基地局に保存され得、ビーム間の相関関係を測定するために使用される。
【００１８】
本発明の本実施形態の解決策では、基地局は、任意の直交ビーム群におけるビームのレベルを比較し得る。直交ビーム群におけるターゲットビームのレベルと直交ビーム群におけるターゲットビーム以外のビームのレベルとの間の差がプリセット値以上である場合、基地局は、割り当て対象のUEのものであり、直交ビーム群におけるビーム属性がターゲットビームであると判定する。
【００１９】
例えば、直交ビーム群では、最も高いレベルを有するビームx（ターゲットビーム）のレベルとそれ以外のビームのレベルとの間の差がプリセット値以上である場合、割り当て対象のUEのビーム属性はビームxである、またはより高いレベルを有する複数のビームxおよびyのそれぞれのレベルとそれ以外のビームのレベルとの間の差がプリセット値以上である場合、割り当て対象のUEのビーム属性がビームxおよびビームyであると判定される。プリセット条件を満たすビームが直交ビーム群に存在しない場合、割り当て対象のUEのものであり、直交ビーム群におけるビーム属性が結合属性であると判定され得る。
【００２０】
可能な実装形態では、割り当て対象のUEおよび割り当て済みのUEに割り当てられた時間−周波数リソースが、ダウンリンク伝送に使用され、
割り当て対象のUEのものであり、第2のプリセット数の直交ビーム群におけるビーム属性と、1つまたは複数の割り当て済みのUEのものであり、第2のプリセット数の直交ビーム群におけるビーム属性とに基づいて、割り当て対象のUEに時間−周波数リソースを割り当てるステップが、割り当て対象のUEの伝送モードおよび割り当て済みのUEの伝送モードを判定するステップと、割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEに時間−周波数リソースを割り当てるステップとを含む。
【００２１】
基地局がダウンリンクデータをUEに伝送する場合、伝送モードは、マルチプル・インプット・マルチプル・アウトプット（Multiple−Input Multiple−Output、MIMO）伝送モード、ビームフォーミング（Beam Forming、BF）伝送モード、送信ダイバーシチ伝送モードなどを通常含む。本発明の本実施形態では、言及された伝送モードはダウンリンク伝送モードであり、通常、セル固有の参照信号（Cell Reference Signal、CRS）ベースのMIMO伝送モードまたはBF伝送モードである。
【００２２】
本発明の本実施形態の解決策では、基地局は、復調に使用される参照信号に基づいて、UEの伝送モードを判定し得る。復調がCRSに基づいて実行される場合、基地局は、UEがCRSベースのMIMO伝送モードを使用していると判定する、または復調がUEのDMRSに基づいて実行される場合、基地局は、UEがBF伝送モードを使用していると判定する。基地局は、この原則に従って、割り当て対象のUEおよび割り当て済みのUEの伝送モードを判定し、次いで、割り当て対象のUEの伝送モードと、割り当て済みのUEの伝送モードと、割り当て対象のUEおよび割り当て済みのUEのものであり、第2のプリセット数の直交ビーム群におけるビーム属性とに基づいて、割り当て対象のUEに時間−周波数リソースを割り当て得る。
【００２３】
可能な実装形態では、割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEに時間−周波数リソースを割り当てるステップが、割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップを含む。
【００２４】
直交マッチング条件は、ダウンリンクデータが同じ時間−周波数リソースで伝送されるときに互いに干渉しない2つのUEによって満たされる条件である。
【００２５】
本発明の本実施形態の解決策では、基地局は、割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすか否かを判定し得る。割り当て対象のUEおよび割り当て済みのUEが直交マッチング条件を満たす場合、割り当て対象のUEと割り当て済みのUEにおける任意のUEとの間の相関関係が比較的低く、割り当て対象のUEと割り当て済みのUEにおける任意のUEとは相互に影響を与えないことを示す。このようにして、割り当て済みのUEに割り当てられた時間−周波数リソースが属する同じ時間−周波数リソース内の時間−周波数リソースが、割り当て対象のUEに割り当てられ得る。加えて、割り当て対象のUEおよび割り当て済みのUEが直交マッチング条件を満たさない場合（割り当て対象のUEと割り当て済みのUEのうちの1つとが直交マッチング条件を満たさない場合）、割り当て対象のUEと割り当て済みのUEにおけるUEとの間の相関関係が比較的高く、割り当て対象のUEと割り当て済みのUEにおけるUEとがデータの受信および復調において相互に影響を与え得ることを示す。そのため、割り当て済みのUEに割り当てられた時間−周波数リソースが属する同じ時間−周波数リソース内の時間−周波数リソースは、割り当て対象のUEに割り当てされ得ない。
【００２６】
可能な実装形態では、割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップが、セル固有の参照信号CRSベースのマルチプル・インプット・マルチプル・アウトプットMIMO伝送モードを使用する少なくとも1つのUEが割り当て対象のUEおよび割り当て済みのUEに存在する場合、割り当て対象のUEが属するセルの物理セル識別子PCIと、割り当て済みのUEが属するセルのPCIとを取得するステップと、割り当て対象のUEのものであり、第2のプリセット数の直交ビーム群におけるビーム属性と、割り当て済みのUEのものであり、第2のプリセット数の直交ビーム群におけるビーム属性と、割り当て対象のUEが属するセルのPCIと、割り当て済みのUEが属するセルのPCIとに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップとを含む。
【００２７】
本発明の本実施形態の解決策では、UEがLTEネットワークにアクセスするとき、基地局は、UEが属するセルの物理セル識別子（Physical cell identification、PCI）を記録する。したがって、基地局は、PCIを事前に記録するための記憶場所から、割り当て対象のUEおよび割り当て済みのUEが属するセルのPCIを取得し得る。割り当て対象のUEおよび割り当て済みのUEの伝送モードを判定した後、基地局は、CRSベースのMIMO伝送モードを使用する少なくとも1つのUEが、割り当て対象のUEおよび割り当て済みのUEに存在するか否かを判定し、存在する場合、割り当て対象のUEが属するセルのPCI、および割り当て済みのUEが属するセルのPCIを取得し、次いで、取得されたPCIと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすか否かを判定し得る。直交マッチング条件が満たされる場合、割り当て済みのUEに割り当てられた時間−周波数リソースが属する同じ時間−周波数リソース内の時間−周波数リソースが、割り当て対象のUEに割り当てられ得る。
【００２８】
可能な実装形態では、割り当て対象のUEのものであり、第2のプリセット数の直交ビーム群におけるビーム属性と、割り当て済みのUEのものであり、第2のプリセット数の直交ビーム群におけるビーム属性と、割り当て対象のUEが属するセルのPCIと、割り当て済みのUEが属するセルのPCIとに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップが、割り当て対象のUEおよび割り当て済みのUEが直交マッチング条件を満たすと判定された後、割り当て対象のUEの伝送モードがMIMO伝送モードであり、割り当て対象のUEが属するセルのPCIが、割り当て済みのUEにあり、その伝送モードがMIMO伝送モードであるUEが属するセルのPCIとは異なり、割り当て対象のUEが属するセルのPCIが、割り当て済みのUEにあり、その伝送モードがBF伝送モードであるUEが属するセルのPCIとは異なり、第2のプリセット数の直交ビーム群のうちの少なくとも1つにおいて、割り当て対象のUEのビーム属性も、割り当て済みのUEにおける第1のUEのビーム属性も結合属性ではなく、割り当て対象のUEのビーム属性が、第1のUEのビーム属性とは完全に異なる場合、割り当て対象のUEに、割り当て済みのUEに割り当てられた時間−周波数リソースが属する同じ時間−周波数リソース内の時間−周波数リソースを割り当てるステップであって、第1のUEが割り当て済みのUEにおける任意のUEである、ステップ、または割り当て対象のUEおよび割り当て済みのUEが直交マッチング条件を満たすと判定された後、割り当て対象のUEの伝送モードがBF伝送モードであり、割り当て対象のUEが属するセルのPCIが、割り当て済みのUEにあり、その伝送モードがMIMO伝送モードであるUEが属するセルのPCIとは異なり、第2のプリセット数の直交ビーム群のうちの少なくとも1つにおいて、割り当て対象のUEのビーム属性も、割り当て済みのUEにおける第2のUEのビーム属性も結合属性ではなく、割り当て対象のUEのビーム属性が、割り当て済みのUEのビーム属性とは完全に異なる場合、割り当て対象のUEに、割り当て済みのUEに割り当てられた時間−周波数リソースが属する同じ時間−周波数リソース内の時間−周波数リソースを割り当てるステップであって、第2のUEが割り当て済みのUEにおける任意のUEである、ステップを含む。
【００２９】
本発明のこの実施形態の解決策では、割り当て対象のUEの伝送モードがCRSベースのMIMO伝送モードである場合、基地局は、割り当て済みのUEにあり、その伝送モードがCRSベースのMIMO伝送モードであるUEが属するセルのPCIを判定し得る。割り当て対象のUEが属するセルのPCIが、割り当て済みのUEにあり、その伝送モードがCRSベースのMIMO伝送モードであるUEが属するセルのPCIとは異なる場合、基地局は、割り当て済みのUEにあり、その伝送モードがBF伝送モードであるUEが属するセルのPCIを判定し得る。割り当て対象のUEが属するセルのPCIが、割り当て済みのUEにあり、その伝送モードがBF伝送モードであるUEが属するセルのPCIとは異なると判定された場合（換言すれば、割り当て対象のUEの伝送モードが、CRSベースのMIMO伝送モードであり、そのPCIが、割り当て対象のUEが属するセルのPCIと同じであるUEは、割り当て済みのUEに存在しない）、基地局は、割り当て対象のUEのビーム属性を、割り当て済みのUEにおける任意のUEのビーム属性（すなわち、第1のUE）とマッチングさせ得る。マッチング原則は次のようになり得る、すなわち、第2のプリセット数の直交ビーム群のうちの少なくとも1つにおいて、割り当て対象のUEのビーム属性も、割り当て済みのUEにおける第1のUEのビーム属性も結合属性ではなく、割り当て対象のUEのビーム属性が、第1のUEのビーム属性とは完全に異なる場合、割り当て対象のUEおよび割り当て済みのUEにおける第1のUEが直交マッチング条件を満たすと判定され得る。このようにして、割り当て対象のUEおよび割り当て済みのUEにおける任意のUEが直交マッチング条件を満たすか否かが判定され得る。割り当て対象のUEおよび割り当て済みのUEにおける任意のUEが直交マッチング条件を満たす場合、割り当て対象のUEおよび割り当て済みのUEが直交マッチング条件を満たすと判定される。このようにして、割り当て済みのUEに割り当てられた時間−周波数リソースが属する同じ時間−周波数リソース内の時間−周波数リソースが、割り当て対象のUEに割り当てられ得る。割り当て対象のUEの伝送モードがBF伝送モードである場合、基地局は、割り当て済みのUEにあり、その伝送モードがCRSベースのMIMO伝送モードであるUEが属するセルのPCIを判定し得る。割り当て対象のUEが属するセルのPCIが、割り当て済みのUEにあり、その伝送モードがCRSベースのMIMO伝送モードであるUEが属するセルのPCIとは異なる場合、基地局は、割り当て対象のUEのビーム属性を、割り当て済みのUEにおける任意のUE（すなわち、第2のUE）のビーム属性とマッチングさせ得る。マッチング原則は次のようになり得る、すなわち、第2のプリセット数の直交ビーム群のうちの少なくとも1つにおいて、割り当て対象のUEのビーム属性も、割り当て済みのUEにおける第2のUEのビーム属性も結合属性ではなく、割り当て対象のUEのビーム属性が、第2のUEのビーム属性とは完全に異なる場合、割り当て対象のUEおよび割り当て済みのUEにおける第2のUEが直交マッチング条件を満たすと判定され得る。このようにして、割り当て対象のUEおよび割り当て済みのUEにおける任意のUEが直交マッチング条件を満たすか否かが判定され得る。割り当て対象のUEおよび割り当て済みのUEにおける任意のUEが直交マッチング条件を満たす場合、割り当て対象のUEおよび割り当て済みのUEが直交マッチング条件を満たすと判定される。このようにして、割り当て済みのUEに割り当てられた時間−周波数リソースが属する同じ時間−周波数リソース内の時間−周波数リソースが、割り当て対象のUEに割り当てられ得る。
【００３０】
可能な実装形態では、割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップが、割り当て対象のUEおよび割り当て済みのUEが直交マッチング条件を満たすと判定された後、割り当て対象のUEおよび割り当て済みのUEの伝送モードがそれぞれBF伝送モードであり、第2のプリセット数の直交ビーム群のうちの少なくとも1つにおいて、割り当て対象のUEのビーム属性も、割り当て済みのUEにおける第3のUEのビーム属性も結合属性ではなく、割り当て対象のUEのビーム属性が、第3のUEのビーム属性とは完全に異なる場合、割り当て対象のUEに、割り当て済みのUEに割り当てられた時間−周波数リソースが属する同じ時間−周波数リソース内の時間−周波数リソースを割り当てるステップであって、第3のUEが割り当て済みのUEにおける任意のUEである、ステップを含む。
【００３１】
本発明の本実施形態の解決策では、割り当て対象のUEおよび割り当て済みのUEの伝送モードを判定した後、基地局は、伝送モードが同じであるか否かを判定し得る。割り当て対象のUEおよび割り当て済みのUEの伝送モードがそれぞれBF伝送モードである場合、基地局は、割り当て対象のUEのビーム属性を、割り当て済みのUEにおける任意のUE（すなわち、第3のUE）のビーム属性とマッチングさせ得る。マッチング原則は次のようになり得る、すなわち、第2のプリセット数の直交ビーム群のうちの1つにおいて、割り当て対象のUEのビーム属性も、割り当て済みのUEにおける第3のUEのビーム属性も結合属性ではなく、割り当て対象のUEのビーム属性が、第3のUEのビーム属性とは完全に異なる場合、割り当て対象のUEおよび割り当て済みのUEにおける第3のUEが直交マッチング条件を満たすと判定され得る。このようにして、割り当て対象のUEおよび割り当て済みのUEにおける任意のUEが直交マッチング条件を満たすか否かが判定され得る。
【００３２】
割り当て対象のUEおよび割り当て済みのUEにおける任意のUEが直交マッチング条件を満たす場合、割り当て対象のUEおよび割り当て済みのUEが直交マッチング条件を満たすと判定される。このようにして、割り当て済みのUEに割り当てられた時間−周波数リソースが属する同じ時間−周波数リソース内の時間−周波数リソースが、割り当て対象のUEに割り当てられ得る。
【００３３】
可能な実装形態では、割り当て対象のUEおよび割り当て済みのUEに割り当てられた時間−周波数リソースが、アップリンク伝送に使用され、割り当て対象のUEのものであり、第2のプリセット数の直交ビーム群におけるビーム属性と、1つまたは複数の割り当て済みのUEのものであり、第2のプリセット数の直交ビーム群におけるビーム属性とに基づいて、割り当て対象のUEに時間−周波数リソースを割り当てるステップが、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップを含む。
【００３４】
本発明の本実施形態の解決策では、基地局が、割り当て対象のUEのものであり、各直交ビーム群におけるビーム属性を判定した後、基地局は、同じ時間−周波数リソース上の割り当て済みのUEを判定し（割り当て済みのUEおよび割り当て対象のUEが、同じセルまたは分割後に得られた2つのセルに属する）、次いで、割り当て済みのUEのものであり、第2の数の直交ビーム群のそれぞれにおけるビーム属性を取得し、割り当て対象のUEのビーム属性および割り当て済みのUEのビーム属性に基づいて、割り当て対象のUEおよび割り当て済みのUEが直交マッチング条件を満たすか否かを判定し得る。直交マッチング条件が満たされる場合、割り当て済みのUEに割り当てられた時間−周波数リソースが属する同じ時間−周波数リソース内の時間−周波数リソースが、割り当て対象のUEに割り当てられ得る。
【００３５】
可能な実装形態では、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップが、割り当て対象のUEが属するセルのPCIと、割り当て済みのUEが属するセルのPCIとを取得するステップと、割り当て対象のUEが属するセルのPCIと、割り当て済みのUEが属するセルのPCIと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップとを含む。
【００３６】
本発明の本実施形態の解決策では、UEがLTEネットワークにアクセスするとき、基地局は、UEが属するセルのPCIを記録する。したがって、基地局は、PCIを事前に記録するための記憶場所から、割り当て対象のUEおよび割り当て済みのUEが属するセルのPCIを取得し得る。
【００３７】
基地局が、割り当て対象のUEのものであり、各直交ビーム群におけるビーム属性を判定した後、基地局は、同じ時間−周波数リソース上にある割り当て済みのUEを判定し（割り当て済みのUEおよび割り当て対象のUEが、同じセルまたは分割後に得られた2つのセルに属する）、次いで、割り当て済みのUEのものであり、第2の数の直交ビーム群のそれぞれにおけるビーム属性を取得し得る。次に、基地局は、割り当て対象のUEが属するセルのPCIと、割り当て済みのUEが属するセルのPCIと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすか否かを判定し得る。直交マッチング条件が満たされる場合、割り当て済みのUEに割り当てられた時間−周波数リソースが属する同じ時間−周波数リソース内の時間−周波数リソースが、割り当て対象のUEに割り当てられ得る。
【００３８】
可能な実装形態では、割り当て対象のUEが属するセルのPCIと、割り当て済みのUEが属するセルのPCIと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てるステップが、割り当て対象のUEおよび割り当て済みのUEが直交マッチング条件を満たすと判定された後、割り当て対象のUEが属するセルのPCIが、割り当て済みのUEにおける任意のUEが属するセルのPCIとは異なり、第2のプリセット数の直交ビーム群のうちの少なくとも1つにおいて、割り当て対象のUEのビーム属性も、割り当て済みのUEにおける第4のUEのビーム属性も結合属性ではなく、割り当て対象のUEのビーム属性が、第4のUEのビーム属性とは完全に異なる場合、割り当て対象のUEに、割り当て済みのUEに割り当てられた時間−周波数リソースが属する同じ時間−周波数リソース内の時間−周波数リソースを割り当てるステップであって、第4のUEが割り当て済みのUEにおける任意のUEである、ステップを含む。
【００３９】
本発明の本実施形態の解決策では、基地局は、割り当て対象のUEが属するセルのPCIが、割り当て済みのUEが属するセルのPCIと同じであるか否かを判定し得る。PCIが異なる場合、基地局は、割り当て対象のUEのビーム属性を、割り当て済みのUEにおける任意のUE（すなわち、第4のUE）のビーム属性とマッチングさせ得る。
【００４０】
マッチング原則は次のようになり得る、すなわち、第2のプリセット数の直交ビーム群のうちの少なくとも1つにおいて、割り当て対象のUEのビーム属性も、割り当て済みのUEにおける第4のUEのビーム属性も結合属性ではなく、割り当て対象のUEのビーム属性が、第4のUEのビーム属性とは完全に異なる場合、割り当て対象のUEおよび割り当て済みのUEにおける第4のUEが直交マッチング条件を満たすと判定され得る。このようにして、割り当て対象のUEおよび割り当て済みのUEにおける任意のUEが直交マッチング条件を満たすか否かが判定され得る。
【００４１】
割り当て対象のUEおよび割り当て済みのUEにおける任意のUEが直交マッチング条件を満たす場合、割り当て対象のUEおよび割り当て済みのUEが直交マッチング条件を満たすと判定される。このようにして、割り当て済みのUEに割り当てられた時間−周波数リソースが属する同じ時間−周波数リソース内の時間−周波数リソースが、割り当て対象のUEに割り当てられ得る。
【００４２】
第2の態様によれば、基地局が提供される。基地局はプロセッサを備え、プロセッサは、第1の態様で提供される時間−周波数リソース割り当て方法を実施するための命令を実行する。
【００４３】
第3の態様によれば、時間−周波数リソース割り当て装置が提供される。本装置は1つまたは複数のモジュールを備え、1つまたは複数のモジュールは、第1の態様で提供される時間−周波数リソース割り当て方法を実施するための命令を実行する。
【００４４】
第4の態様によれば、コンピュータ可読記憶媒体が提供される。コンピュータ可読記憶媒体は命令を記憶する。コンピュータ可読記憶媒体が基地局上で実行されると、基地局は、第1の態様で提供される時間−周波数リソース割り当て方法を実行することが可能になる。
【００４５】
第5の態様によれば、命令を含むコンピュータプログラム製品が提供される。コンピュータプログラム製品が基地局上で実行されると、基地局は、第1の態様で提供される時間−周波数リソース割り当て方法を実行することが可能になる。
【００４６】
本発明の各実施形態において提供される技術的解決策がもたらす有益な効果としては、少なくとも次が挙げられる。
【００４７】
本発明の実施形態では、マッチングは、同じ時間−周波数リソース内の時間−周波数リソースが異なるUEに割り当てられ得るか否かを判定するために、UEのビーム属性に対して実行され得る。したがって、分割後に得られたセルにUEが不均一に分散されていても、時間−周波数リソースは柔軟にスケジュールされ、それにより時間−周波数リソースが有効に活用され得る。
【図面の簡単な説明】
【００４８】
【図１】本発明の一実施形態による基地局とUEとの間の相互作用の概略図である。
【図２】本発明の一実施形態による基地局の概略構造図である。
【図３】本発明の一実施形態による時間−周波数リソース割り当ての概略的なフローチャートである。
【図４】本発明の一実施形態によるRBGへの時間−周波数リソース割り当ての概略図である。
【図５】本発明の一実施形態によるRBGへの時間−周波数リソース割り当ての概略図である。
【図６】本発明の一実施形態による時間−周波数リソース割り当ての概略的なフローチャートである。
【図７】本発明の一実施形態によるRBGへの時間−周波数リソース割り当ての概略図である。
【図８】本発明の一実施形態による時間−周波数リソース割り当て装置の概略構成図である。
【発明を実施するための形態】
【００４９】
本出願の目的、技術的解決策、および利点をより明確にするために、以下、添付図面を参照しながら、本発明の実装形態を詳細にさらに説明する。
【００５０】
本発明の実施形態の理解を容易にするために、以下、本発明の実施形態におけるシステムアーキテクチャおよび用語の概念についてまず説明する。
【００５１】
本発明の実施形態は、ロングタームエボリューション（Long Term Evolution、LTE）技術に適用可能であり得る。LTEでは、より多くの4Gユーザ機器が出現し、ネットワークのカバレッジおよび品質に対してより高い要件が課せられている。規模の大きいネットワークカバレッジを実装し、ネットワーク品質を向上させるために、ネットワークカバレッジおよびネットワーク容量を向上させるためのソフトスプリット技術が、新しいデバイス（基地局など）を追加することなく、限られた時間−周波数リソースで使用される。LTE基地局は3つのセルをカバーし、各セルは120度の領域をカバーする。ソフトスプリット技術を使用することにより120度のセルを2つの周波数内セルに分割した後、サービスボリューム配分が容量拡張効果に影響する。例えば、分割前のセルのリソースブロック（Resource Block、RB）の負荷は90％である。10個のUEがあり、各ユーザは平均して9個のRBを使用し得る。合計100個のRBが必要とされる。分割後、左側のセルに9個のUEがあり、右側のセルに1つのUEがある。分割後に得られたセルのオーバーラップ領域には結合スケジューリングのための多数のRBがあるため、セルのスペクトル効率は元の負荷の約70％〜80％に低下する。この場合、左側のセルの9個のUEによって必要とされるRBの数は9＊9／（70％）＝115である。左側のセルの負荷が100％に達しても、9個のUEに対してリソースが不足している。右側のセルの1つのUEによって必要とされるRBの数は、1＊9／（70％）＝13である。右側のセルの時間−周波数リソースは効果的に使用されていない。したがって、右側のセルの時間−周波数リソースを効果的に使用するための方法が提供される必要がある。
【００５２】
UEは、ユーザ機器または端末デバイスとも呼ばれる。端末デバイスはまた、アクセス端末、加入者ユニット、加入者局、移動局、モバイルステーション、リモート局、リモート端末、モバイルデバイス、ユーザ端末、端末、無線通信デバイス、ユーザエージェント、またはユーザ装置とも呼ばれ得る。端末デバイスは、WLANにおけるステーション（STATION、ST）であってもよいし、携帯電話、コードレス電話、セッション開始プロトコル（session initiation protocol、SIP）電話、ワイヤレスローカルループ（Wireless Local Loop、WLL）局、パーソナルデジタルアシスタント（Personal Digital Assistant、PDA）デバイス、ワイヤレス通信機能を有するハンドヘルドデバイス、コンピューティングデバイス、ワイヤレスモデムに接続された別の処理デバイス、車載デバイス、ウェアラブルデバイス、または次世代通信システムにおける端末デバイスであってもよい。
【００５３】
基地局は、無線通信カバレッジを実装し、少なくとも1つのセルを介してUEにサービスを提供し、グローバル・システム・フォー・モバイル・コミュニケーションズ（Global System of Mobile communication、GSM）システム、符号分割多元接続（Code Division Multiple Access、CDMA）システム、広帯域符号分割多元接続（Wideband Code Division Multiple Access、WCDMA(登録商標)）システム、汎用パケット無線サービス（General Packet Radio Service、GPRS）システム、ロングタームエボリューション（Long Term Evolution、LTE）システム、LTE周波数分割複信（Frequency Division Duplex、FDD）システム、LTE時分割複信（Time Division Duplex、TDD）システム、ユニバーサル移動体通信システム（Universal Mobile Telecommunication System、UMTS）、ワールドワイド・インターオペラビリティ・フォー・マイクロウェーブ・アクセス（Worldwide Interoperability for Microwave Access、WiMAX）通信システム、将来の第5世代（5th Generation、5G）、またはnew radio（New Radio、NR）システムなどを選択的にサポートする。図1に示されるように、基地局は、UEと通信し得る。
【００５４】
本発明の一実施形態は、時間−周波数リソース割り当て方法を提供する。本方法は、基地局によって実行され得る。
【００５５】
図2は本発明の一実施形態による基地局の構造ブロック図である。基地局は、少なくとも受信機201と、プロセッサ202と、メモリ203と、送信機204とを備え得る。受信機201は、データを受信するように構成され得、UEからのデータを受信するように特に構成され得る。送信機204は、データを送信するように構成され得、データをUEに送信するように特に構成され得る。メモリ203は、ソフトウェアプログラムおよびモジュールを記憶するように構成され得る。プロセッサ202は、様々な機能アプリケーションおよびデータ処理を実行するためにメモリ203に記憶されたソフトウェアプログラムおよびモジュールを実行する。メモリ203は、プログラム記憶域とデータ記憶域とを主に含む。プログラム記憶域は、オペレーティングシステム、少なくとも1つの機能によって必要とされるアプリケーションプログラムなどを記憶でき、データ記憶域は、基地局の使用などに基づいて作成されたデータを記憶できる。加えて、メモリ203は、高速ランダムアクセスメモリを含むことができ、また、不揮発性メモリ、例えば少なくとも1つの磁気ディスク記憶デバイス、フラッシュメモリデバイス、または別の揮発性固体記憶デバイスをさらに含むことができる。それに対応して、メモリ203は、プロセッサ202、受信機201、および送信機204にメモリ203へのアクセスを提供するために、メモリコントローラをさらに備えてよい。プロセッサ202は、基地局の制御センターであり、様々なインターフェースおよび配線を使用することにより、基地局全体のすべての部分を接続する。メモリ203に記憶されたソフトウェアプログラムおよび／またはモジュールを稼働させ、または実行し、メモリ203に記憶されたデータを呼び出すことにより、プロセッサ202は、基地局に対する全体的な監視を行うために基地局の各種機能および／またはデータ処理を実行する。
【００５６】
場合により、プロセッサ202は1つまたは複数の処理コアを含んでよい。好ましくは、プロセッサ202はアプリケーションプロセッサとモデムプロセッサとを統合したものであり得る。アプリケーションプロセッサは、オペレーティングシステム、ユーザインターフェース、およびアプリケーションプログラムなどを主に処理し、モデムプロセッサは、ワイヤレス通信を主に処理する。モデムプロセッサは代替としてプロセッサ202に統合されていない場合もあることが理解されよう。
【００５７】
本発明の一実施形態では、解決策は、基地局がデータをUEに送信する例を使用することによって説明される。図3に示されるように、解決策の処理プロセスは以下のとおりであり得る。
【００５８】
ステップ301：割り当て対象のUEのアップリンク参照信号を取得する。
【００５９】
UEは、分割後に得られた2つの周波数内セル内のUEにあり、データ伝送に使用される時間−周波数リソースが現在割り当てられていないUEである。アップリンク参照信号は、SRSおよび／またはDMRSを含む。SRSは、UEによって基地局に通常定期的に送信され、基地局によってアップリンクチャネル推定を実行するために使用され、サブフレームの最後のシンボルで通常送信される。DMRSは、UE固有のPDSCHの送信のために割り当てられたRBでのみ通常送信される。
【００６０】
実装の際、基地局がコアネットワーク側によってUE（以下、割り当て対象のUEと呼ばれ得る）に送信されるデータを受信するとき、基地局が、割り当て対象のUEによって現在の周期において送信されたSRSを受信した場合、基地局は、現在の周期におけるSRSを取得し得る、または基地局が、割り当て対象のUEによって現在の周期において送信されたSRSを受信しない場合、基地局は、割り当て対象のUEによって以前の周期において送信されたSRSを取得し得る、および／もしくは基地局は、UEが最後にデータを送信したときに使用されたDMRSを取得し得る。
【００６１】
場合により、コアネットワーク側によって複数のUEに送信されるデータを同時に受信する場合、基地局は、複数のUEの中で最も高い優先順位を有するUEをさらにまず判定する。UEの優先順位は、送信されるデータのタイプに基づいて通常判定される。例えば、電話の音声データが最も高い優先順位を有し、ショートカットメッセージやビデオデータなどが優先順位の高い順に続く。最も高い優先順位を有するUEは、割り当て対象のUEとして判定される。
【００６２】
SRSが失われた場合、DMRSのみが使用され得、DMRSが失われた場合、SRSのみが使用され得、SRSおよびDMRSの両方が存在する場合、SRSおよびDMRSの両方が使用され得ることに留意されたい。
【００６３】
ステップ302：アップリンク参照信号に基づいて、第1のプリセット数のビームを含む第2のプリセット数の直交ビーム群における各ビームを、各ビームのレベルを判定するために測定する。
【００６４】
直交ビーム群は、含まれる複数のビームが互いに干渉しないこと、または複数のビーム間の干渉が特定の閾値未満であり、通常のデータ送信および受信に影響を及ぼさないことを意味する。第1のプリセット数のビームは、当業者によって基地局のアンテナのステータスに基づいて構成され得る。第1のプリセット数のビームは、基地局のアンテナの重み付け係数、振幅などの調整を通じて、第2のプリセット数の直交ビーム群を形成し得る。例えば、合計でM本のビームがある。基地局のアンテナの重み付け係数および振幅が調整されるたびに、M本のビームに基づいてM本の他のビームが生成され得、M本の生成されたビームはM本のビームに直交する。N本の直交ビーム群がN−1回の調整で得られ、第2のプリセット数はNである。レベルはビームの等価パワーを指す。
【００６５】
実装の際、割り当て対象のUEのアップリンク参照信号を取得した後、基地局は、第1のプリセット数のビームを含む第2のプリセット数の直交ビーム群を取得し、次いで、アップリンク参照信号を使用して、各直交ビーム群における任意のビームを、任意のビームのレベルを取得するために別々に測定し得る。
【００６６】
場合により、各ビームの等価チャネル応答がまず判定され、等価チャネル応答に基づいて、各ビームのレベルが判定され得る。ステップ302における対応する処理は、以下のとおりであり得る。
【００６７】
UEのアップリンク参照信号に基づいて、第1のプリセット数のビームを含む第2のプリセット数の直交ビーム群における各ビームを、各ビームの等価チャネル応答を判定するために測定し、各ビームの等価チャネル応答に基づいて、各ビームのレベルを判定する。
【００６８】
実装の際、基地局はP個の送信／受信物理チャネルを有し、各直交ビーム群がM本のビームを含み、M本のビームはカバレッジの点で互いに補完し得ると仮定される。第2のプリセット数の直交ビーム群における任意の直交ビーム群における各ビームの等価チャネル応答は、次のように計算され得る。
【数１】
2021530136.tif 000003
【００６９】
式（1）において、
【数２】
2021530136.tif 000004
は、サブフレームの最後のシンボルから得られる、割り当て対象のUEのP個の物理チャネル、すなわちSRSの受信されたチャネル係数を示す。H0は、最初の物理チャネルのチャネル係数を示し、以下同様である。
【数３】
2021530136.tif 000005
は、複数のビームの重みを示し（複数のビームの重みは、プリセットされて基地局に記憶される）、直交ビーム群ごとに異なる。
【数４】
2021530136.tif 000006
は、使用される物理チャネル上のビームmの重みベクトルであり、mは［0，M−1］に属する。
【数５】
2021530136.tif 000007
は、重み付け処理後に得られた各ビームの等価チャネル応答を示す。
【００７０】
このようにして、第2のプリセット数の直交ビーム群のそれぞれにおける各ビームの等価チャネル応答は、上述のように計算され得る。
【００７１】
次に、基地局は、次の式に従って各ビームの等価パワーを計算し得る。
【数６】
2021530136.tif 000008
【００７２】
式（2）において、
【数７】
2021530136.tif 000009
は、ビームmの等価チャネル係数のノルムを示し、mは［0，M−1］に属する。
【数８】
2021530136.tif 000010
であり、Eはアップリンク物理チャネルゲインを示し、プリセット値である。
【００７３】
各ビームの等価パワーを判定した後、基地局は、各ビームの等価パワーを各ビームのレベルとして判定し得る。
【００７４】
本明細書では、アップリンク参照信号がSRSである例が説明のために使用されることに留意されたい。アップリンク参照信号がDMRSである場合、
【数９】
2021530136.tif 000011
が取得されたDMRSと置き換えられ得る。アップリンク参照信号がSRSおよびDMRSであり、SRSが物理チャネルで取得される場合、物理チャネルのチャネル係数はSRSである、DMRSが物理チャネルで取得される場合、物理チャネルのチャネル係数はDMRSである、またはSRSおよびDMRSが物理チャネルで取得される場合、物理チャネルのチャネル係数はSRSもしくはDMRSのいずれかであり得る。
【００７５】
ステップ303：各ビームのレベルに基づいて、割り当て対象のUEのものであり、第2のプリセット数の直交ビーム群におけるビーム属性を判定する。
【００７６】
ビーム属性は、UE特性に近いビームを測定するために使用され、具体的には、ビーム群上のUEの分布特性を表すために使用され、方位角（Angle of Arrival、AOA）、アンテナ相関などの包括的なチャネル表現である。
【００７７】
実装の際、各直交ビーム群における各ビームのレベルを判定した後、基地局は、各ビームのレベルに基づいて、割り当て対象のUEのものであり、各直交ビーム群におけるビーム属性を判定し得る。
【００７８】
場合により、割り当て対象のUEのビーム属性は、比較によって判定され得る。ステップ303における対応する処理は、以下のとおりであり得る。
【００７９】
各直交ビーム群について、プリセット条件を満たすターゲットビームが直交ビーム群に存在する場合、割り当て対象のUEのものであり、直交ビーム群におけるビーム属性がターゲットビームであると判定する、またはプリセット条件を満たすビームが直交ビーム群に存在しない場合、割り当て対象のUEのものであり、直交ビーム群におけるビーム属性が結合属性であると判定する。
【００８０】
プリセット条件は、プリセットされて基地局に保存され得る。プリセット条件は、ターゲットビームのレベルと直交ビーム群におけるターゲットビーム以外のビームのレベルとの間の差がプリセット値よりも大きいことである。1つまたは複数のターゲットビームがある。プリセット値は、プリセットされて基地局に保存され得、ビーム間の相関関係を測定するために使用される。
【００８１】
実装の際、基地局は、任意の直交ビーム群におけるビームのレベルを比較し得る。直交ビーム群におけるターゲットビームのレベルと直交ビーム群におけるターゲットビーム以外のビームのレベルとの間の差がプリセット値よりも大きい場合、基地局は、割り当て対象のUEのものであり、直交ビーム群におけるビーム属性がターゲットビームであると判定する。
【００８２】
例えば、直交ビーム群では、最も高いレベルを有するビームx（ターゲットビーム）のレベルとそれ以外のビームのレベルとの間の差がプリセット値よりも大きい場合、割り当て対象のUEのビーム属性はビームxである、またはより高いレベルを有する複数のビームxおよびyのそれぞれのレベルとそれ以外のビームのレベルとの間の差がプリセット値よりも大きい場合、割り当て対象のUEのビーム属性がビームxおよびビームyであると判定される。プリセット条件を満たすビームが直交ビーム群に存在しない場合、割り当て対象のUEのものであり、直交ビーム群におけるビーム属性が結合属性であると判定され得る。
【００８３】
このようにして、類推により、割り当て対象のUEのものであり、各直交ビーム群におけるビーム属性は、同じように判定され得る。
【００８４】
ステップ304：割り当て対象のUEのものであり、第2のプリセット数の直交ビーム群におけるビーム属性と、1つまたは複数の割り当て済みのUEのビーム属性とに基づいて、時間−周波数リソースを割り当て対象のUEに割り当てる。
【００８５】
割り当て済みのUEは同じ時間−周波数リソースを使用し、同じ時間−周波数リソース内の一部のリソースは占有されていない（例えば、同じ時間−周波数リソースは同じRBGであり、いくつかのリソースはいくつかのRBである）。1つまたは複数の割り当て済みのUEがあり、割り当て済みのUEに割り当てられた時間−周波数リソースは、基地局によってデータをUEに送信するために使用される。同じ時間−周波数リソースは、同じRBGまたは同じRBを指す。RBGは、複数のRBを含み得、RBの数は、サービスに基づいて構成され得る。同じ時間−周波数リソースが同じRBGである例が、本発明の本実施形態の以下の説明プロセスにおいて説明のために使用される。
【００８６】
実装の際、基地局が、割り当て対象のUEのものであり、各直交ビーム群におけるビーム属性を判定した後、現在の時間−周波数リソース割り当てに使用されるRBGに占有されていないRBが存在する場合、基地局は、RBG上にある割り当て済みのUEを取得し（割り当て済みのUEおよび割り当て対象のUEが、同じセルまたは分割後に得られた2つのセルに属する）、次いで、割り当て済みのUEのものであり、第2のプリセット数のビーム群のそれぞれにおけるビーム属性を取得し得る（判定方法が、割り当て対象のUEのビーム属性を判定するための上述の方法と同じであり、ここでは詳細は再度説明されない）。次に、基地局は、割り当て対象のUEのビーム属性および割り当て済みのUEのビーム属性に基づいて、割り当て対象のUEに時間−周波数リソースを割り当てる。
【００８７】
加えて、新しい時間−周波数リソース（RBまたはRBG）内の時間−周波数リソースが、割り当て対象のUEに現在割り当てられ始めた場合、新しい時間−周波数リソース内の時間−周波数リソースは別のUEに割り当てられていないため、新しい時間−周波数リソース内の時間−周波数リソースは、割り当て対象のUEに直接割り当てられ得る。例えば、新しいRBG内の時間−周波数リソースが、割り当て対象のUEに現在割り当てられ始めた場合、新しいRBG内の時間−周波数リソースは別のUEに割り当てられていないため、新しいRBG内の時間−周波数リソースは、割り当て対象のUEに直接割り当てられ得る。
【００８８】
場合により、時間−周波数リソースは、割り当て対象のUEの伝送モードおよびビーム属性に基づいて、割り当て対象のUEにさらに割り当てられ得る。ステップ304における対応する処理は、以下のとおりであり得る。
【００８９】
割り当て対象のUEの伝送モードおよび割り当て済みのUEの伝送モードを判定し、割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEに時間−周波数リソースを割り当てる。
【００９０】
基地局がダウンリンクデータをUEに伝送する場合、伝送モードは、マルチプル・インプット・マルチプル・アウトプットMIMO伝送モード、BF伝送モード、送信ダイバーシチ伝送モードなどを通常含む。本発明の本実施形態では、言及された伝送モードはダウンリンク伝送モードであり、通常、CRSベースのMIMO伝送モードまたはBF伝送モードである。
【００９１】
実装の際、基地局は、復調に使用される参照信号に基づいて、UEの伝送モードを判定し得る。復調がCRSに基づいて実行される場合、基地局は、UEがCRSベースのMIMO伝送モードを使用していると判定する、または復調がUEのDMRSに基づいて実行される場合、基地局は、UEがBF伝送モードを使用していると判定する。基地局は、この原則に従って、割り当て対象のUEおよび割り当て済みのUEの伝送モードを判定し、次いで、割り当て対象のUEの伝送モードと、割り当て済みのUEの伝送モードと、割り当て対象のUEおよび割り当て済みのUEのものであり、第2のプリセット数の直交ビーム群におけるビーム属性とに基づいて、割り当て対象のUEに時間−周波数リソースを割り当て得る。
【００９２】
CRSは、各ダウンリンクサブフレームおよび周波数領域において各RBで送信され、すべてのダウンリンク伝送のチャネル推定およびコヒーレント復調のためにUEによって使用され得、チャネル状態情報（Channel−state Information、CSI）を取得するためにUEによってさらに使用され得ることに留意されたい。DMRSは、チャネル推定およびコヒーレント復調のためにUEによって使用されるUE固有の参照信号である。DMRSは、UE固有のPDSCHの送信のために割り当てられたRBでのみ通常送信される。
【００９３】
場合により、割り当て対象のUEおよび割り当て済みのUEが直交マッチング条件を満たすか否かがまず判定され得、結果に基づいて、時間−周波数リソースが割り当て対象のUEに割り当てられる。対応する処理は以下のとおりであり得る。
【００９４】
割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすことが判定された場合、割り当て対象のUEに、割り当て済みのUEに割り当てられた時間−周波数リソースが属する同じ時間−周波数リソース内の時間−周波数リソースを割り当てる。
【００９５】
直交マッチング条件は、ダウンリンクデータが同じRBGで伝送されるときに互いに干渉しない2つのUEによって満たされる条件である。
【００９６】
実装の際、基地局は、割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすか否かを判定し得る。割り当て対象のUEおよび割り当て済みのUEが直交マッチング条件を満たす場合、割り当て対象のUEと割り当て済みのUEにおける任意のUEとの間の相関関係が比較的低く、割り当て対象のUEと割り当て済みのUEにおける任意のUEとは相互に影響を与えないことを示す。このようにして、割り当て済みのUEに割り当てられた時間−周波数リソースが属するRBG内の時間−周波数リソースが割り当て対象のUEに割り当てされ得る。例えば、図4に示されるように、RBG1では、割り当て対象のUEは、セルBのUEoである。UEoは、UEdおよびUEcとの直交マッチング条件を満たすため、UEo、UEd、およびUEcは、同じRBG1を使用し得る。セルAおよびセルBは、分割後に得られた2つのセルである。
【００９７】
加えて、割り当て対象のUEおよび割り当て済みのUEが直交マッチング条件を満たさない場合（割り当て対象のUEと割り当て済みのUEのうちの1つとが直交マッチング条件を満たさない場合）、割り当て対象のUEと割り当て済みのUEにおけるUEとの間の相関関係が比較的高く、割り当て対象のUEと割り当て済みのUEにおけるUEとがデータの受信および復調において相互に影響を与え得ることを示す。そのため、割り当て済みのUEに割り当てられた時間−周波数リソースが属するRBG内の時間−周波数リソースが割り当て対象のUEに割り当てされ得ない。
【００９８】
加えて、割り当て対象のUEおよび割り当て済みのUEが直交マッチング条件を満たさない場合、基地局は、時間−周波数リソース割り当てを待機している他のUEの優先順位を判定し、UEからの最も高い優先順位を有するUEを判定し、上述のように時間−周波数リソースをUEに割り当て得る。現在のRBG内のすべての時間−周波数リソースが割り当てられた後、基地局は、割り当て対象のUEに、次のRBG内の時間−周波数リソースをまず割り当て得る。
【００９９】
複数の割り当て済みのUEがある場合、割り当て対象のUEおよび割り当て済みのUEが直交マッチング条件を満たすことは、割り当て対象のUEおよび割り当て済みのUEのそれぞれが直交マッチング条件を満たす場合にのみ判定され得ることに留意されたい。割り当て済みのUEおよび割り当て対象のUEのうちの一方が直交マッチング条件を満たさない限りは、割り当て対象のUEおよび割り当て済みのUEは直交マッチング条件を満たさない。
【０１００】
場合により、割り当て対象のUEの伝送モードがCRSベースのMIMO伝送モードであり、割り当て済みのUEにあり、割り当て対象のUEと同じ伝送モードを使用するUEが存在する場合、直交マッチング条件が満たされるか否かは、以下のように判定され得る。対応する処理は以下のとおりであり得る。
【０１０１】
CRSベースのMIMO伝送モードを使用する少なくとも1つのUEが、割り当て対象のUEおよび割り当て済みのUEに存在する場合、割り当て対象のUEが属するセルの物理セル識別子PCIと、割り当て済みのUEが属するセルのPCIとを取得し、割り当て対象のUEのものであり、第2のプリセット数の直交ビーム群におけるビーム属性と、割り当て済みのUEのものであり、第2のプリセット数の直交ビーム群におけるビーム属性と、割り当て対象のUEが属するセルのPCIと、割り当て済みのUEが属するセルのPCIとに基づいて、割り当て対象のUEおよび割り当て済みのUEが直交マッチング条件を満たすと判定された場合、割り当て対象のUEに、割り当て済みのUEに割り当てられた時間−周波数リソースが属する同じ時間−周波数リソース内の時間−周波数リソースを割り当てる。
【０１０２】
実装の際、UEがLTEネットワークにアクセスするとき、基地局は、UEが属するセルの物理セル識別子を記録する。したがって、基地局は、PCIを事前に記録するための記憶場所から、割り当て対象のUEおよび割り当て済みのUEが属するセルのPCIを取得し得る。
【０１０３】
割り当て対象のUEおよび割り当て済みのUEの伝送モードを判定した後、基地局は、CRSベースのMIMO伝送モードを使用する少なくとも1つのUEが、割り当て対象のUEおよび割り当て済みのUEに存在するか否かを判定し、存在する場合、割り当て対象のUEが属するセルのPCI、および割り当て済みのUEが属するセルのPCIを取得し、次いで、取得されたPCIと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすか否かを判定し得る。直交マッチング条件が満たされる場合、割り当て済みのUEに割り当てられた時間−周波数リソースが属する同じ時間−周波数リソース内の時間−周波数リソースが、割り当て対象のUEに割り当てられ得る。
【０１０４】
場合により、直交マッチング条件が満たされるか否かは、以下のようにPCIに基づいて判定され得る。対応する処理は以下のとおりであり得る。
【０１０５】
割り当て対象のUEおよび割り当て済みのUEが直交マッチング条件を満たすと判定された後、割り当て対象のUEの伝送モードがCRSベースのMIMO伝送モードであり、割り当て対象のUEが属するセルのPCIが、割り当て済みのUEにあり、その伝送モードがCRSベースのMIMO伝送モードであるUEが属するセルのPCIとは異なり、割り当て対象のUEが属するセルのPCIが、割り当て済みのUEにあり、その伝送モードがBF伝送モードであるUEが属するセルのPCIとは異なり、第2のプリセット数の直交ビーム群のうちの少なくとも1つにおいて、割り当て対象のUEのビーム属性も、割り当て済みのUEにおける第1のUEのビーム属性も結合属性ではなく、割り当て対象のUEのビーム属性が、第1のUEのビーム属性とは完全に異なる場合、割り当て対象のUEに、割り当て済みのUEに割り当てられた時間−周波数リソースが属する同じ時間−周波数リソース内の時間−周波数リソースを割り当て、第1のUEが割り当て済みのUEにおける任意のUEである、または
割り当て対象のUEおよび割り当て済みのUEが直交マッチング条件を満たすと判定された後、割り当て対象のUEの伝送モードがBF伝送モードであり、割り当て対象のUEが属するセルのPCIが、割り当て済みのUEにあり、その伝送モードがCRSベースのMIMO伝送モードであるUEが属するセルのPCIとは異なり、第2のプリセット数の直交ビーム群のうちの少なくとも1つにおいて、割り当て対象のUEのビーム属性も、割り当て済みのUEにおける第2のUEのビーム属性も結合属性ではなく、割り当て対象のUEのビーム属性が、割り当て済みのUEのビーム属性とは完全に異なる場合、割り当て対象のUEに、割り当て済みのUEに割り当てられた時間−周波数リソースが属する同じ時間−周波数リソース内の時間−周波数リソースを割り当て、第2のUEが割り当て済みのUEにおける任意のUEである。
【０１０６】
実装の際、割り当て対象のUEの伝送モードがCRSベースのMIMO伝送モードである場合、基地局は、割り当て済みのUEにあり、その伝送モードがCRSベースのMIMO伝送モードであるUEが属するセルのPCIを判定し得る。割り当て対象のUEが属するセルのPCIが、割り当て済みのUEにあり、その伝送モードがCRSベースのMIMO伝送モードであるUEが属するセルのPCIとは異なる場合、基地局は、割り当て済みのUEにあり、その伝送モードがBF伝送モードであるUEが属するセルのPCIを判定し得る。割り当て対象のUEが属するセルのPCIが、割り当て済みのUEにあり、その伝送モードがBF伝送モードであるUEが属するセルのPCIとは異なると判定された場合（換言すれば、割り当て対象のUEの伝送モードが、CRSベースのMIMO伝送モードであり、そのPCIが、割り当て対象のUEが属するセルのPCIと同じであるUEは、割り当て済みのUEに存在しない）、基地局は、割り当て対象のUEのビーム属性を、割り当て済みのUEにおける任意のUEのビーム属性（すなわち、第1のUE）とマッチングさせ得る。マッチング原則は次のとおりであり得る。
【０１０７】
第2のプリセット数の直交ビーム群のうちの少なくとも1つにおいて、割り当て対象のUEのビーム属性も、割り当て済みのUEにおける第1のUEのビーム属性も結合属性ではなく、割り当て対象のUEのビーム属性が、第1のUEのビーム属性とは完全に異なる場合、割り当て対象のUEおよび割り当て済みのUEにおける第1のUEが直交マッチング条件を満たすと判定され得る。このようにして、割り当て対象のUEおよび割り当て済みのUEにおける任意のUEが直交マッチング条件を満たすか否かが判定され得る。
【０１０８】
割り当て対象のUEおよび割り当て済みのUEにおける任意のUEが直交マッチング条件を満たす場合、割り当て対象のUEおよび割り当て済みのUEが直交マッチング条件を満たすと判定される。このようにして、割り当て済みのUEに割り当てられた時間−周波数リソースが属するRBG内の時間−周波数リソースが割り当て対象のUEに割り当てされ得る。
【０１０９】
例えば、図5に示されるように、RBG2では、2つの割り当て済みのUEは、UE1およびUE2であり、割り当て対象のUEはUE3である。UE1の伝送モードはBF伝送モードであり、UE1が属するセルのPCIはセルAである。UE2の伝送モードはBF伝送モードであり、UE2が属するセルのPCIはセルAである。UE3の伝送モードは、CRSベースのMIMO伝送モードであり、UE3が属するセルのPCIはセルBである。UE3の伝送モードは、UE1の伝送モードおよびUE2の伝送モードとは異なり、UE1が属するセルのPCIは、UE3が属するセルのPCIとは異なり、UE2が属するセルのPCIはUE3が属するセルのPCIとは異なる。次に、第2のプリセット数の直交ビーム群における第1の直交ビーム群において（第1の直交ビーム群は、第2のプリセット数の直交ビーム群における任意のビーム群である）、UE1のビーム属性もUE3のビーム属性も結合属性ではなく、UE1のビーム属性はビームxであり、UE3のビーム属性はビームyであり、これらは互いに完全に異なり、UE2のビーム属性はビームzであり、これもまたUE3のビーム属性とは完全に異なる。UE3は、UE1およびUE2と直交マッチング条件を別々に満たすと判定され得る。このようにして、UE1およびUE2に割り当てられた時間−周波数リソースが属するRBG2内の時間−周波数リソースがUE3に割り当てられ得る。
【０１１０】
割り当て対象のUEの伝送モードがBF伝送モードである場合、基地局は、割り当て済みのUEにあり、その伝送モードがCRSベースのMIMO伝送モードであるUEが属するセルのPCIを判定し得る。割り当て対象のUEが属するセルのPCIが、割り当て済みのUEにあり、その伝送モードがCRSベースのMIMO伝送モードであるUEが属するセルのPCIとは異なる場合、基地局は、割り当て対象のUEのビーム属性を、割り当て済みのUEにおける任意のUE（すなわち、第2のUE）のビーム属性とマッチングさせ得る。マッチング原則は次のとおりであり得る。
【０１１１】
第2のプリセット数の直交ビーム群のうちの少なくとも1つにおいて、割り当て対象のUEのビーム属性も、割り当て済みのUEにおける第2のUEのビーム属性も結合属性ではなく、割り当て対象のUEのビーム属性が、第2のUEのビーム属性とは完全に異なる場合、割り当て対象のUEおよび割り当て済みのUEにおける第2のUEが直交マッチング条件を満たすと判定され得る。このようにして、割り当て対象のUEおよび割り当て済みのUEにおける任意のUEが直交マッチング条件を満たすか否かが判定され得る。
【０１１２】
割り当て対象のUEおよび割り当て済みのUEにおける任意のUEが直交マッチング条件を満たす場合、割り当て対象のUEおよび割り当て済みのUEが直交マッチング条件を満たすと判定される。このようにして、割り当て済みのUEに割り当てられた時間−周波数リソースが属するRBG内の時間−周波数リソースが割り当て対象のUEに割り当てされ得る。
【０１１３】
例えば、RBG3では、割り当て済みのUEはUE3であり、割り当て対象のUEはUE4である。UE3の伝送モードはCRSベースのMIMO伝送モードであり、UE3が属するセルのPCIはセルAである。UE4の伝送モードはBF伝送モードであり、UE4が属するセルのPCIはセルBである。UE3が属するセルのPCIは、UE4が属するセルのPCIとは異なる。次に、第2のプリセット数の直交ビーム群における第1の直交ビーム群において（第1の直交ビーム群は、第2のプリセット数の直交ビーム群における任意のビーム群である）、UE3のビーム属性もUE4のビーム属性も結合属性ではなく、UE3のビーム属性はビームxであり、UE4のビーム属性はビームyであり、これらは互いに完全に異なる。UE4およびUE3が直交マッチング条件を満たすと判定され得る。このようにして、UE3に割り当てられた時間−周波数リソースが属するRBG内の時間−周波数リソースがUE4に割り当てされ得る。
【０１１４】
加えて、割り当て対象のUEの伝送モードがCRSベースのMIMO伝送モードであり、割り当て対象のUEが属するセルのPCIが割り当て済みのUEにあり、その伝送モードがCRSベースのMIMO伝送モードである任意のUEが属するセルのPCIと同じである場合、割り当て対象のUEおよび割り当て済みのUEが直交マッチング条件を満たさない。そのため、割り当て済みのUEに割り当てられた時間−周波数リソースが属するRBG内の時間−周波数リソースが割り当て対象のUEに割り当てされ得ない。
【０１１５】
加えて、割り当て対象のUEの伝送モードがCRSベースのMIMO伝送モードであり、割り当て対象のUEが属するセルのPCIが割り当て済みのUEにあり、その伝送モードがBF伝送モードである任意のUEが属するセルのPCIと同じである場合、割り当て対象のUEおよび割り当て済みのUEが直交マッチング条件を満たさない。
【０１１６】
加えて、割り当て対象のUEの伝送モードがBF伝送モードであり、割り当て対象のUEが属するセルのPCIが割り当て済みのUEにあり、その伝送モードがCRSベースのMIMO伝送モードである任意のUEが属するセルのPCIと同じである場合、割り当て対象のUEおよび割り当て済みのUEが直交マッチング条件を満たさない。
【０１１７】
加えて、割り当て対象のUEの伝送モードがCRSベースのMIMO伝送モードであり、割り当て対象のUEが属するセルのPCIが、割り当て済みのUEにあり、その伝送モードがCRSベースのMIMO伝送モードであるUEが属するセルのPCIとは異なり、割り当て対象のUEが属するセルのPCIが、割り当て済みのUEにあり、その伝送モードがBF伝送モードであるUEが属するセルのPCIとは異なるが、第2のプリセット数の直交ビーム群のうちのいずれにおいても、割り当て対象のUEのビーム属性も、割り当て済みのUEのうちの少なくとも1つのビーム属性も結合属性ではない、または割り当て対象のUEのビーム属性および割り当て済みのUEのうちの少なくとも1つのビーム属性のそれぞれが結合属性であるが、ビーム属性が完全に異なるのではない場合、割り当て対象のUEおよび割り当て済みのUEにおけるUEが直交マッチング条件を満たさないと判定され得る。この場合、割り当て対象のUEおよび割り当て済みのUEは直交マッチング条件を満たさない。
【０１１８】
加えて、割り当て対象のUEの伝送モードがBF伝送モードであり、割り当て対象のUEが属するセルのPCIが、割り当て済みのUEにあり、その伝送モードがCRSベースのMIMO伝送モードであるUEが属するセルのPCIとは異なり、割り当て対象のUEが属するセルのPCIが、割り当て済みのUEにあり、その伝送モードがBF伝送モードであるUEが属するセルのPCIとは異なるが、第2のプリセット数の直交ビーム群のうちのいずれにおいても、割り当て対象のUEのビーム属性も、割り当て済みのUEのうちの少なくとも1つのビーム属性も結合属性ではない、または割り当て対象のUEのビーム属性および割り当て済みのUEのうちの少なくとも1つのビーム属性のそれぞれが結合属性であるが、ビーム属性が完全に異なるのではない場合、割り当て対象のUEおよび割り当て済みのUEにおけるUEが直交マッチング条件を満たさないと判定され得る。この場合、割り当て対象のUEおよび割り当て済みのUEは直交マッチング条件を満たさない。
【０１１９】
場合により、割り当て対象のUEおよび割り当て済みのUEが直交マッチング条件を満たさない場合、基地局は、時間−周波数リソース割り当てを待機している他のUEの優先順位を判定し、UEからの最も高い優先順位を有するUEを判定し、上述のように時間−周波数リソースをUEに割り当て得る。現在のRBG内のすべての時間−周波数リソースが割り当てられた後、基地局は、割り当て対象のUEに、次のRBG内の時間−周波数リソースをまず割り当て得る。
【０１２０】
場合により、割り当て対象のUEおよび割り当て済みのUEの伝送モードがそれぞれBF伝送モードである場合、直交マッチング条件が満たされるか否かは、以下のように判定され得る。対応する処理は以下のとおりであり得る。
【０１２１】
割り当て対象のUEおよび割り当て済みのUEが直交マッチング条件を満たすと判定された後、割り当て対象のUEおよび割り当て済みのUEの伝送モードがそれぞれBF伝送モードであり、第2のプリセット数の直交ビーム群のうちの少なくとも1つにおいて、割り当て対象のUEのビーム属性も、割り当て済みのUEにおける第3のUEのビーム属性も結合属性ではなく、割り当て対象のUEのビーム属性が、第3のUEのビーム属性とは完全に異なる場合、割り当て対象のUEに、割り当て済みのUEに割り当てられた時間−周波数リソースが属するRBG内の時間−周波数リソースを割り当て、第3のUEが割り当て済みのUEにおける任意のUEである。
【０１２２】
実装の際、割り当て対象のUEおよび割り当て済みのUEの伝送モードを判定した後、基地局は、伝送モードが同じであるか否かを判定し得る。割り当て対象のUEおよび割り当て済みのUEの伝送モードがそれぞれBF伝送モードである場合、基地局は、割り当て対象のUEのビーム属性を、割り当て済みのUEにおける任意のUE（すなわち、第3のUE）のビーム属性とマッチングさせ得る。マッチング原則は次のとおりであり得る。
【０１２３】
第2のプリセット数の直交ビーム群のうちの1つにおいて、割り当て対象のUEのビーム属性も、割り当て済みのUEにおける第3のUEのビーム属性も結合属性ではなく、割り当て対象のUEのビーム属性が、第3のUEのビーム属性とは完全に異なる場合、割り当て対象のUEおよび割り当て済みのUEにおける第3のUEが直交マッチング条件を満たすと判定され得る。このようにして、割り当て対象のUEおよび割り当て済みのUEにおける任意のUEが直交マッチング条件を満たすか否かが判定され得る。
【０１２４】
割り当て対象のUEおよび割り当て済みのUEにおける任意のUEが直交マッチング条件を満たす場合、割り当て対象のUEおよび割り当て済みのUEが直交マッチング条件を満たすと判定される。このようにして、割り当て済みのUEに割り当てられた時間−周波数リソースが属するRBG内の時間−周波数リソースが割り当て対象のUEに割り当てされ得る。
【０１２５】
例えば、2つの割り当て済みのUEは、UE5およびUE6であり、割り当て対象のUEはUE7である。UE5およびUE6の伝送モードはそれぞれBF伝送モードであり、UE7の伝送モードはBF伝送モードである。第2のプリセット数の直交ビーム群における第2の直交ビーム群において、UE5のビーム属性はビームxであり、UE7のビーム属性はビームpである。第2の直交ビーム群において、UE5のビーム属性もUE7のビーム属性も結合属性ではなく、UE5のビーム属性はUE7のビーム属性とは完全に異なると判定され得、その結果、UE5およびUE7が直交マッチング条件を満たすと判定され得る。加えて、第2のプリセット数の直交ビーム群における第3の直交ビーム群において、UE6のビーム属性はビームzであり、UE7のビーム属性はビームpである。第3の直交ビーム群において、UE6のビーム属性もUE7のビーム属性も結合属性ではなく、UE6のビーム属性はUE7のビーム属性とは完全に異なると判定され得、その結果、UE6およびUE7が直交マッチング条件を満たすと判定され得る。このようにして、割り当て対象のUEおよび割り当て済みのUEが直交マッチング条件を満たすと判定され得、UE5およびUE6に割り当てられた時間−周波数リソースが属するRBG内の時間−周波数リソースがUE7に割り当てられ得る。
【０１２６】
加えて、割り当て対象のUEおよび割り当て済みのUEの伝送モードがそれぞれBF伝送モードであり、第2のプリセット数の直交ビーム群のうちのいずれにおいても、割り当て対象のUEのビーム属性も割り当て済みのUEのうちの少なくとも1つのビーム属性も結合属性ではない、または割り当て対象のUEのビーム属性および割り当て済みのUEのうちの少なくとも1つのビーム属性が結合属性であるが、ビーム属性は完全に異なるのではない場合、割り当て対象のUEおよび割り当て済みのUEは、直交マッチング条件を満たさないと判定され得る。この場合、割り当て対象のUEおよび割り当て済みのUEは直交マッチング条件を満たさない。
【０１２７】
場合により、割り当て対象のUEおよび割り当て済みのUEが直交マッチング条件を満たさない場合、基地局は、時間−周波数リソース割り当てを待機している他のUEの優先順位を判定し、UEからの最も高い優先順位を有するUEを判定し、上述のように時間−周波数リソースをUEに割り当て得る。現在のRBG内のすべての時間−周波数リソースが割り当てられた後、基地局は、割り当て対象のUEに、次のRBG内の時間−周波数リソースをまず割り当て得る。
【０１２８】
割り当て対象のUEに時間−周波数リソースを割り当てた後、基地局は、割り当て対象のUEに送信されるデータを、割り当て対象のUEに割り当てられた時間−周波数リソースにマッピングし、時間−周波数リソースを使用することにより、割り当て対象のUEにデータを送信し得る。
【０１２９】
加えて、本発明の本実施形態では、同じ時間−周波数リソース内の時間−周波数リソースが、割り当て対象のUEに割り当てられた後、割り当て済みのUEのビーム重みがさらに取得され、割り当て対象のUEのチャネル係数が取得され、割り当て済みのUEのビーム重みおよび割り当て対象のUEのチャネル係数を使用することにより行列が形成され、次に、行列が、直交重みを取得するために、割り当て対象のUEのチャネル係数および割り当て済みのUEのビーム重みに対して直交化処理を実行するために使用され得る。割り当て対象のUEのデータは、直交重みに基づいて、割り当て対象のUEに割り当てられた時間−周波数リソースにマッピングされる。
【０１３０】
例えば、割り当て済みのUEにおけるUEaのビーム重みは
【数１０】
2021530136.tif 000012
であり、割り当て対象のUEのチャネル係数は
【数１１】
2021530136.tif 000013
であり、形成される行列はC＝［conj（Wa），Hb］であり、直交化処理D＝（（CH＊C）−1＊CH）HがUEaのビーム重みおよび割り当て対象のUEのチャネル係数に対して実行された後に得られた重みは、
【数１２】
2021530136.tif 000014
である。割り当て対象のUEのデータは、重みに基づいて、割り当て対象のUEに割り当てられた時間−周波数リソースにマッピングされる。
【０１３１】
同様に、割り当て済みのUEにおける任意のUEのデータが、UEに割り当てられた時間−周波数リソースにマッピングされる場合、行列もまた、UEのチャネル係数および割り当て対象のUEのビーム重みを使用することによって形成され、次に、行列が、直交重みを取得するためにUEのチャネル係数および割り当て対象のUEのビーム重みに対して直交化処理を実行するために使用される。UEのデータは、直交重みに基づいて、UEに割り当てられた時間−周波数リソースにマッピングされる。このようにして、直交化処理が行われるため、割り当て対象のUEおよび割り当て済みのUEは、割り当て対象のUEおよび割り当て済みのUEに送信されるデータをより正確に復調することができる。
【０１３２】
本発明の本実施形態では、マッチングは、同じ時間−周波数リソース内の時間−周波数リソースが異なるUEに割り当てられ得るか否かを判定するために、UEのビーム属性に対して実行され得る。したがって、分割後に得られたセルにUEが不均一に分散されていても、時間−周波数リソースは柔軟にスケジュールされ、それにより時間−周波数リソースが有効に活用され得る。
【０１３３】
本発明の別の実施形態では、解決策は、UEが基地局にデータを送信するときに時間−周波数リソースをスケジュールすることを要求する例を使用することによって説明される。図6に示されるように、解決策の処理プロセスは以下のとおりであり得る。
【０１３４】
ステップ601：割り当て対象のUEが時間−周波数リソースをスケジュールするように要求するときに、割り当て対象のUEのアップリンク参照信号を取得する。
【０１３５】
割り当て対象のUEおよび1つまたは複数の割り当て済みのUEに割り当てられた時間−周波数リソースは、アップリンクデータ送信に使用される。基地局によって割り当て対象のUEに割り当てられた時間−周波数リソースは、データを基地局に送信するために割り当て対象のUEによって使用される。
【０１３６】
実装の際、ネットワークを介して外部にデータを送信する場合、UE（以下、割り当て対象のUEと呼ばれ得る）は、時間−周波数リソースをUEに割り当てるように基地局に要求する。UEは、リソーススケジューリング要求を基地局に送信する。基地局がUEによって送信された時間−周波数リソーススケジューリング要求を受信するとき、基地局が、割り当て対象のUEによって現在の周期において送信されたSRSを受信した場合、基地局は、現在の周期におけるSRSを取得し得る、または基地局が、割り当て対象のUEによって現在の周期において送信されたSRSを受信しない場合、基地局は、割り当て対象のUEによって以前の周期において送信されたSRSを取得し得る、および／もしくは基地局は、UEが最後にデータを送信したときに使用されたDMRSを取得し得る。
【０１３７】
場合により、複数のUEによって送信されるリソーススケーリング要求を同時に受信する場合、基地局は、複数のUEの中で最も高い優先順位を有するUEをさらにまず判定する。UEの優先順位は、送信されるデータのタイプに基づいて通常判定される。例えば、電話の音声データが最も高い優先順位を有し、ショートカットメッセージやビデオデータなどが優先順位の高い順に続く。最も高い優先順位を有するUEは、割り当て対象のUEとして判定される。
【０１３８】
ステップ602：アップリンク参照信号に基づいて、第1のプリセット数のビームを含む第2のプリセット数の直交ビーム群における各ビームを、各ビームのレベルを判定するために測定する。
【０１３９】
直交ビーム群は、含まれる複数のビームが互いに干渉しないこと、または複数のビーム間の干渉が特定の閾値未満であり、通常のデータ送信および受信に影響を及ぼさないことを意味する。第1のプリセット数のビームは、当業者によって基地局のアンテナのステータスに基づいて構成され得る。第1のプリセット数のビームは、基地局のアンテナの重み付け係数、振幅などの調整を通じて、第2のプリセット数の直交ビーム群を形成し得る。例えば、合計でM本のビームがある。基地局のアンテナの重み付け係数および振幅が調整されるたびに、M本のビームに基づいてM本の他のビームが生成され得、M本の生成されたビームはM本のビームに直交する。N本の直交ビーム群がN−1回の調整で得られ、第2のプリセット数はNである。レベルはビームの等価パワーを指す。
【０１４０】
実装の際、割り当て対象のUEのアップリンク参照信号を取得した後、基地局は、第1のプリセット数のビームを含む第2のプリセット数の直交ビーム群を取得し、次いで、アップリンク参照信号を使用して、各直交ビーム群における任意のビームを、任意のビームのレベルを取得するために別々に測定し得る。
【０１４１】
場合により、各ビームの等価チャネル応答がまず判定され、等価チャネル応答に基づいて、各ビームのレベルが判定され得る。ステップ602における対応する処理は、以下のとおりであり得る。
【０１４２】
アップリンク参照信号に基づいて、第1のプリセット数のビームを含む第2のプリセット数の直交ビーム群における各ビームを、各ビームの等価チャネル応答を判定するために測定し、各ビームの等価チャネル応答に基づいて、各ビームのレベルを判定する。
【０１４３】
実施の際、このプロセスは、上述の実施形態におけるビームのレベルを判定する方式と同じである。このプロセスについては上記の説明を参照されたい。ここでは詳細は再度説明されない。
【０１４４】
ステップ603：各ビームのレベルに基づいて、割り当て対象のUEのものであり、第2のプリセット数の直交ビーム群におけるビーム属性を判定する。
【０１４５】
ビーム属性は、UEに近いビームを測定するために使用され、その後、UE間の相関関係がビーム属性に基づいて測定され得る。
【０１４６】
実装の際、各直交ビーム群における各ビームのレベルを判定した後、基地局は、各ビームのレベルに基づいて、割り当て対象のUEのものであり、各直交ビーム群におけるビーム属性を判定し得る。
【０１４７】
場合により、割り当て対象のUEのビーム属性は、比較によって判定され得る。ステップ303における対応する処理は、以下のとおりであり得る。
【０１４８】
各直交ビーム群について、プリセット条件を満たすターゲットビームが直交ビーム群に存在する場合、割り当て対象のUEのものであり、直交ビーム群におけるビーム属性がターゲットビームであると判定する、またはプリセット条件を満たすビームが直交ビーム群に存在しない場合、割り当て対象のUEのものであり、直交ビーム群におけるビーム属性が結合属性であると判定する。
【０１４９】
プリセット条件は、プリセットされて基地局に保存され得る。プリセット条件は、ターゲットビームのレベルと直交ビーム群におけるターゲットビーム以外のビームのレベルとの間の差がプリセット値よりも大きいことである。1つまたは複数のターゲットビームがある。プリセット値は、プリセットされて基地局に保存され得、ビーム間の相関関係を測定するために使用される。
【０１５０】
実装の際、基地局は、任意の直交ビーム群におけるビームのレベルを比較し得る。直交ビーム群におけるターゲットビームのレベルと直交ビーム群におけるターゲットビーム以外のビームのレベルとの間の差がプリセット値よりも大きい場合、基地局は、割り当て対象のUEのものであり、直交ビーム群におけるビーム属性がターゲットビームであると判定する。
【０１５１】
例えば、直交ビーム群では、最も高いレベルを有するビームx（ターゲットビーム）のレベルとそれ以外のビームのレベルとの間の差がプリセット値よりも大きい場合、割り当て対象のUEのビーム属性はビームxである、またはより高いレベルを有する複数のビームxおよびyのそれぞれのレベルとそれ以外のビームのレベルとの間の差がプリセット値よりも大きい場合、割り当て対象のUEのビーム属性がビームxおよびビームyであると判定される。プリセット条件を満たすビームが直交ビーム群に存在しない場合、割り当て対象のUEのものであり、直交ビーム群におけるビーム属性が結合属性であると判定され得る。
【０１５２】
このようにして、類推により、割り当て対象のUEのものであり、各直交ビーム群におけるビーム属性は、同じように判定され得る。
【０１５３】
ステップ604：割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすことが判定された場合、割り当て対象のUEに、割り当て済みのUEに割り当てられた時間−周波数リソースが属する同じ時間−周波数リソース内の時間−周波数リソースを割り当てる。
【０１５４】
割り当て済みのUEは同じ時間−周波数リソースを使用し、同じ時間−周波数リソース内の一部のリソースは占有されていない（例えば、同じ時間−周波数リソースは同じRBGであり、いくつかのリソースはいくつかのRBである）。1つまたは複数の割り当て済みのUEがあり、割り当て済みのUEに割り当てられた時間−周波数リソースは、データを基地局に送信するためにUEによって使用される。同じ時間−周波数リソースは、同じリソースブロックグループまたは同じ時間−周波数リソースブロックRBを指す。RBGは、複数のRBを含み得、RBの数は、サービスに基づいて構成され得る。同じ時間−周波数リソースが同じRBGである例が、本発明の本実施形態の以下の説明プロセスにおいて説明のために使用される。
【０１５５】
実装の際、基地局が、割り当て対象のUEのものであり、各直交ビーム群におけるビーム属性を判定した後、現在の時間−周波数リソース割り当てに使用されるRBGに占有されていないRBが存在する場合、基地局は、RBG上の割り当て済みのUEを判定し（割り当て済みのUEおよび割り当て対象のUEが、同じセルまたは分割後に得られた2つのセルに属する）、次いで、割り当て済みのUEのものであり、第2の数の直交ビーム群のそれぞれにおけるビーム属性を取得し、割り当て対象のUEのビーム属性および割り当て済みのUEのビーム属性に基づいて、割り当て対象のUEおよび割り当て対象のUEが直交マッチング条件を満たすか否かを判定し得る。直交マッチング条件が満たされる場合、割り当て済みのUEに割り当てられた時間−周波数リソースが属するRBG内の時間−周波数リソースが割り当て対象のUEに割り当てられ得る。
【０１５６】
加えて、新しいRBG内の時間−周波数リソースがUEに現在割り当てられ始めた場合、RBG内の時間−周波数リソースは割り当て対象のUEに直接割り当てられ得る。
【０１５７】
加えて、割り当て対象のUEおよび割り当て済みのUEが直交マッチング条件を満たさない場合（割り当て対象のUEと割り当て済みのUEにおける任意のUEとが直交マッチング条件を満たさない場合）、割り当て対象のUEと割り当て済みのUEとの間の相関関係が比較的高く、割り当て対象のUEと割り当て済みのUEとがデータの受信および復調において相互に影響を与え得ることを示す。そのため、割り当て済みのUEに割り当てられた時間−周波数リソースが属するRBG内の時間−周波数リソースが割り当て対象のUEに割り当てされ得ない。
【０１５８】
加えて、割り当て対象のUEおよび割り当て済みのUEが直交マッチング条件を満たさない場合、基地局は、時間−周波数リソース割り当てを待機している他のUEの優先順位を判定し、UEからの最も高い優先順位を有するUEを判定し、上述のように時間−周波数リソースをUEに割り当て得る。現在のRBG内のすべての時間−周波数リソースが割り当てられた後、基地局は、割り当て対象のUEに、次のRBG内の時間−周波数リソースをまず割り当て得る。
【０１５９】
場合により、割り当て対象のUEおよび割り当て済みのUEが直交マッチング条件を満たすか否かが、割り当て対象のUEおよび割り当て済みのUEが属するセルのセル識別子に基づいて判定され得る。対応する処理は以下のとおりであり得る。
【０１６０】
割り当て対象のUEが属するセルのPCIと、割り当て済みのUEが属するセルのPCIとを取得し、割り当て対象のUEが属するセルのPCIと、割り当て済みのUEが属するセルのPCIと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属するRBG内の時間−周波数リソースを割り当てる。
【０１６１】
実装の際、UEがLTEネットワークにアクセスするとき、基地局は、UEが属するセルのPCIを記録する。したがって、基地局は、PCIを事前に記録するための記憶場所から、割り当て対象のUEおよび割り当て済みのUEが属するセルのPCIを取得し得る。
【０１６２】
基地局が、割り当て対象のUEのものであり、各直交ビーム群におけるビーム属性を判定した後、現在の時間−周波数リソース割り当てに使用されるRBGに占有されていないRBが存在する場合、基地局は、RBG上にある割り当て済みのUEを判定し（割り当て済みのUEおよび割り当て対象のUEが、同じセルまたは分割後に得られた2つのセルに属する）、次いで、割り当て済みのUEのものであり、第2の数の直交ビーム群のそれぞれにおけるビーム属性を取得し得る。次に、基地局は、割り当て対象のUEが属するセルのPCIと、割り当て済みのUEが属するセルのPCIと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすか否かを判定し得る。直交マッチング条件が満たされる場合、割り当て済みのUEに割り当てられた時間−周波数リソースが属するRBG内の時間−周波数リソースが割り当て対象のUEに割り当てられ得る。
【０１６３】
場合により、割り当て対象のUEおよび割り当て済みのUEが直交マッチング条件を満たすか否かは、割り当て対象のUEおよび割り当て済みのUEが属するセルのセル識別子に基づいて判定され得る。対応する処理は以下のとおりであり得る。
【０１６４】
割り当て対象のUEおよび割り当て済みのUEが直交マッチング条件を満たすと判定された後、割り当て対象のUEが属するセルのPCIが、割り当て済みのUEにおける任意のUEが属するセルのPCIとは異なり、第2のプリセット数の直交ビーム群のうちの少なくとも1つにおいて、割り当て対象のUEのビーム属性も割り当て済みのUEにおける第4のUEのビーム属性も結合属性ではなく、割り当て対象のUEのビーム属性が、第4のUEのビーム属性とは完全に異なる場合、割り当て対象のUEに、割り当て済みのUEに割り当てられた時間−周波数リソースが属するRBG内の時間−周波数リソースを割り当て、第4のUEが割り当て済みのUEにおける任意のUEである。
【０１６５】
実装の際、基地局は、割り当て対象のUEが属するセルのPCIが、割り当て済みのUEが属するセルのPCIと同じであるか否かを判定し得る。PCIが異なる場合、基地局は、割り当て対象のUEのビーム属性を、割り当て済みのUEにおける任意のUE（すなわち、第4のUE）のビーム属性とマッチングさせ得る。
【０１６６】
マッチング原則は次のようになり得る、すなわち、第2のプリセット数の直交ビーム群のうちの少なくとも1つにおいて、割り当て対象のUEのビーム属性も、割り当て済みのUEにおける第4のUEのビーム属性も結合属性ではなく、割り当て対象のUEのビーム属性が、第4のUEのビーム属性とは完全に異なる場合、割り当て対象のUEおよび割り当て済みのUEにおける第4のUEが直交マッチング条件を満たすと判定され得る。このようにして、割り当て対象のUEおよび割り当て済みのUEにおける任意のUEが直交マッチング条件を満たすか否かが判定され得る。
【０１６７】
割り当て対象のUEおよび割り当て済みのUEにおける任意のUEが直交マッチング条件を満たす場合、割り当て対象のUEおよび割り当て済みのUEが直交マッチング条件を満たすと判定される。このようにして、割り当て済みのUEに割り当てられた時間−周波数リソースが属するRBG内の時間−周波数リソースが割り当て対象のUEに割り当てされ得る。
【０１６８】
加えて、割り当て対象のUEが属するセルのPCIが、割り当て済みのUEにおける任意のUEが属するセルのPCIと同じである場合、割り当て対象のUEおよび割り当て済みのUEは直交マッチング条件を満たさない。そのため、割り当て済みのUEに割り当てられた時間−周波数リソースが属するRBG内の時間−周波数リソースが割り当て対象のUEに割り当てされ得ない。場合により、基地局は、時間−周波数リソース割り当てを待機している他のUEの優先順位を判定し、UEからの最も高い優先順位を有するUEを判定し、上述のように時間−周波数リソースをUEに割り当て得る。現在のRBG内のすべての時間−周波数リソースが割り当てられた後、基地局は、割り当て対象のUEに、次のRBG内の時間−周波数リソースをまず割り当て得る。
【０１６９】
割り当て対象のUEに時間−周波数リソースを割り当てた後、基地局は、割り当て対象のUEに割り当てられた時間−周波数リソースをUEに通知し得、UEは時間−周波数リソース上でデータを基地局に送信し得る。
【０１７０】
時間−周波数リソースのアップリンクスケジューリングの際、分割後に2つの周波数内セルが取得され、割り当て対象のUEが属するセルのPCIは、割り当て済みのUEが属するセルのPCIとは異なるように制限されるため、1つのRBGにおける時間−周波数リソースは2つのUEに対してのみスケジュールされ得、2つのUEは異なるセルに属することに留意されたい。例えば、図7に示されるように、RBG0では、セルAにはUEaしかなく、セルBにはUEbしかない。
【０１７１】
現在の技術では、複数のUEのアップリンクデータが同じRBGで送信される場合、複数のUEによって占有されるREの数は完全に同じである必要があることに留意されたい。しかしながら、本発明の実施形態では、直交マッチング条件が満たされる限り、UE間の相関関係が比較的小さく、相互の影響が比較的小さいことを示す。占有されるリソース要素（Resource Element、RE）の数は関係しない。したがって、占有されるREの数は完全に同じである必要はない。
【０１７２】
本出願の上述の2つの実施形態では、ソフトスプリッティングによって1つのセルが2つのセルに分割される例が説明のために使用されることに留意されたい。その後の使用プロセスにおいて、ソフトスプリッティングによって得られた他の任意の数のセルが、本出願の上述の2つの実施形態に適用され得る。
【０１７３】
本発明の実施形態では、マッチングは、同じ時間−周波数リソース内の時間−周波数リソースが異なるUEに割り当てられ得るか否かを判定するために、UEのビーム属性に対して実行され得る。したがって、分割後に得られたセルにUEが不均一に分散されていても、時間−周波数リソースは柔軟にスケジュールされ、それにより時間−周波数リソースが有効に活用され得る。
【０１７４】
同じ技術的概念に基づいて、本発明の実施形態は、時間−周波数リソース割り当て装置をさらに提供する。図8に示されるように、本装置は以下を備える。
【０１７５】
取得モジュール810は、割り当て対象のユーザ機器UEのアップリンク参照信号を取得し、アップリンク参照信号が、アップリンクチャネルサウンディング参照信号SRSおよび／または特定の参照信号DMRSを含む、ように構成され、ステップ301およびステップ601、ならびに他の黙示的なステップにおける取得機能を特に実装し得る。
【０１７６】
判定モジュール820は、アップリンク参照信号に基づいて、第1のプリセット数のビームを含む第2のプリセット数の直交ビーム群における各ビームを、各ビームのレベルを判定するために測定し、各ビームのレベルに基づいて、割り当て対象のUEのものであり、第2のプリセット数の直交ビーム群におけるビーム属性を判定するように構成され、ステップ302、ステップ303、ステップ602、およびステップ603、ならびに他の黙示的なステップにおいて判定機能を特に実装し得る。
【０１７７】
割り当てモジュール830は、割り当て対象のUEのものであり、第2のプリセット数の直交ビーム群におけるビーム属性と、1つまたは複数の割り当て済みのUEのものであり、第2のプリセット数の直交ビーム群におけるビーム属性とに基づいて、割り当て対象のUEに時間−周波数リソースを割り当て、割り当て済みのUEが同じ時間−周波数リソースを使用し、同じ時間−周波数リソースが、同じ時間−周波数リソースブロックRBまたは同じ時間−周波数リソースブロックグループRBGである、ように構成され、ステップ304およびステップ604、ならびに他の黙示的なステップにおける割り当て機能を特に実装し得る。
【０１７８】
場合により、判定モジュール820が、
SRSに基づいて、第1のプリセット数のビームを含む第2のプリセット数の直交ビーム群における各ビームを、各ビームの等価チャネル応答を判定するために測定し、
各ビームの等価チャネル応答に基づいて、各ビームのレベルを判定する、
ように構成される。
【０１７９】
場合により、判定モジュール820が、
各直交ビーム群について、プリセット条件を満たすターゲットビームが直交ビーム群に存在する場合、割り当て対象のUEのものであり、直交ビーム群におけるビーム属性がターゲットビームであると判定する、またはプリセット条件を満たすビームが直交ビーム群に存在しない場合、割り当て対象のUEのものであり、直交ビーム群におけるビーム属性が結合属性であると判定し、プリセット条件が、ターゲットビームのレベルと直交ビーム群におけるターゲットビーム以外のビームのレベルとの間の差がプリセット値以上であることである、
ように構成される。
【０１８０】
場合により、割り当て対象のUEおよび割り当て済みのUEに割り当てられた時間−周波数リソースが、ダウンリンク伝送に使用され、
割り当てモジュール830が、
割り当て対象のUEの伝送モードおよび割り当て済みのUEの伝送モードを判定し、
割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEに時間−周波数リソースを割り当てる、
ように構成される。
【０１８１】
場合により、割り当てモジュール830が、
割り当て対象のUEの伝送モードと、割り当て済みのUEの伝送モードと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすことが判定された場合、割り当て対象のUEに、割り当て済みのUEに割り当てられた時間−周波数リソースが属する時間−周波数リソース内の時間−周波数リソースを割り当てる、
ように構成される。
【０１８２】
場合により、割り当てモジュール830が、
マルチプル・インプット・マルチプル・アウトプットMIMO伝送モードを使用する少なくとも1つのUEが、割り当て対象のUEおよび割り当て済みのUEに存在する場合、割り当て対象のUEが属するセルの物理セル識別子PCIと、割り当て済みのUEが属するセルのPCIとを取得し、
割り当て対象のUEのものであり、第2のプリセット数の直交ビーム群におけるビーム属性と、割り当て済みのUEのものであり、第2のプリセット数の直交ビーム群におけるビーム属性と、割り当て対象のUEが属するセルのPCIと、割り当て済みのUEが属するセルのPCIとに基づいて、割り当て対象のUEおよび割り当て済みのUEが直交マッチング条件を満たすと判定された場合、割り当て対象のUEに、割り当て済みのUEに割り当てられた時間−周波数リソースが属する時間−周波数リソース内の時間−周波数リソースを割り当てる、
ように構成される。
【０１８３】
場合により、割り当てモジュール830が、
割り当て対象のUEおよび割り当て済みのUEが直交マッチング条件を満たすと判定された後、割り当て対象のUEの伝送モードがMIMO伝送モードであり、割り当て対象のUEが属するセルのPCIが、割り当て済みのUEにあり、その伝送モードがMIMO伝送モードであるUEが属するセルのPCIとは異なり、割り当て対象のUEが属するセルのPCIが、割り当て済みのUEにあり、その伝送モードがBF伝送モードであるUEが属するセルのPCIとは異なり、第2のプリセット数の直交ビーム群のうちの少なくとも1つにおいて、割り当て対象のUEのビーム属性も、割り当て済みのUEにおける第1のUEのビーム属性も結合属性ではなく、割り当て対象のUEのビーム属性が、第1のUEのビーム属性とは完全に異なる場合、割り当て対象のUEに、割り当て済みのUEに割り当てられた時間−周波数リソースが属する時間−周波数リソース内の時間−周波数リソースを割り当て、第1のUEが割り当て済みのUEにおける任意のUEである、または
割り当て対象のUEおよび割り当て済みのUEが直交マッチング条件を満たすと判定された後、割り当て対象のUEの伝送モードがBF伝送モードであり、割り当て対象のUEが属するセルのPCIが、割り当て済みのUEにあり、その伝送モードがMIMO伝送モードであるUEが属するセルのPCIとは異なり、第2のプリセット数の直交ビーム群のうちの少なくとも1つにおいて、割り当て対象のUEのビーム属性も、割り当て済みのUEにおける第2のUEのビーム属性も結合属性ではなく、割り当て対象のUEのビーム属性が、割り当て済みのUEのビーム属性とは完全に異なる場合、割り当て対象のUEに、割り当て済みのUEに割り当てられた時間−周波数リソースが属する時間−周波数リソース内の時間−周波数リソースを割り当て、第2のUEが割り当て済みのUEにおける任意のUEである、
ように構成される。
【０１８４】
場合により、割り当てモジュール830が、
割り当て対象のUEおよび割り当て済みのUEが直交マッチング条件を満たすと判定された後、割り当て対象のUEおよび割り当て済みのUEの伝送モードがそれぞれBF伝送モードであり、第2のプリセット数の直交ビーム群のうちの少なくとも1つにおいて、割り当て対象のUEのビーム属性も、割り当て済みのUEにおける第3のUEのビーム属性も結合属性ではなく、割り当て対象のUEのビーム属性が、第3のUEのビーム属性とは完全に異なる場合、割り当て対象のUEに、割り当て済みのUEに割り当てられた時間−周波数リソースが属する時間−周波数リソース内の時間−周波数リソースを割り当て、第3のUEが割り当て済みのUEにおける任意のUEである、
ように構成される。
【０１８５】
場合により、割り当て対象のUEおよび割り当て済みのUEに割り当てられた時間−周波数リソースがアップリンク伝送に使用され、
割り当てモジュール830が、
割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する時間−周波数リソース内の時間−周波数リソースを割り当てる、
ように構成される。
【０１８６】
場合により、割り当てモジュール830が、
割り当て対象のUEが属するセルのPCIと、割り当て済みのUEが属するセルのPCIとを取得し、
割り当て対象のUEが属するセルのPCIと、割り当て済みのUEが属するセルのPCIと、割り当て対象のUEのものであり、第2のプリセット数の直交ビーム群におけるビーム属性と、割り当て済みのUEのものであり、第2のプリセット数の直交ビーム群におけるビーム属性とに基づいて、割り当て対象のUEおよび割り当て済みのUEが直交マッチング条件を満たすと判定された場合、割り当て対象のUEに、割り当て済みのUEに割り当てられた時間−周波数リソースが属する時間−周波数リソース内の時間−周波数リソースを割り当てる
ように構成される。
【０１８７】
場合により、割り当てモジュール830が、
割り当て対象のUEおよび割り当て済みのUEが直交マッチング条件を満たすと判定された後、割り当て対象のUEが属するセルのPCIが、割り当て済みのUEにおける任意のUEが属するセルのPCIとは異なり、第2のプリセット数の直交ビーム群のうちの少なくとも1つにおいて、割り当て対象のUEのビーム属性も、割り当て済みのUEにおける第4のUEのビーム属性も結合属性ではなく、割り当て対象のUEのビーム属性が、第4のUEのビーム属性とは完全に異なる場合、割り当て対象のUEに、割り当て済みのUEに割り当てられた時間−周波数リソースが属する時間−周波数リソース内の時間−周波数リソースを割り当て、第4のUEが割り当て済みのUEにおける任意のUEである、
ように構成される。
【０１８８】
本発明の本実施形態では、マッチングは、同じ時間−周波数リソース内の時間−周波数リソースが異なるUEに割り当てられ得るか否かを判定するために、UEのビーム属性に対して実行され得る。したがって、分割後に得られたセルにUEが不均一に分散されていても、時間−周波数リソースは柔軟にスケジュールされ、それにより時間−周波数リソースが有効に活用され得る。
【０１８９】
上述の実施形態で提供される時間−周波数リソース割り当て装置が時間−周波数リソースを割り当てる際、上述の機能モジュールの分割は説明のための例として用いられているに過ぎないことに留意されたい。実際の応用において、上述の機能は異なる機能モジュールに割り当てられ、必要に応じて実行されることができ、すなわち装置の内部構造は異なる機能モジュールに分割されて上述の機能の全部または一部を実行する。加えて、上述の実施形態で提供される時間−周波数リソース割り当て装置は、時間−周波数リソース割り当て方法の実施形態と同じ概念に関係する。装置の特定の実施プロセスについて、方法および実施形態を参照されたく、詳細は本明細書で再び説明されない。
【０１９０】
上記の実施形態の全部または一部は、ソフトウェア、ハードウェア、ファームウェア、またはそれらの任意の組み合わせを使用することにより実施されてもよい。実装にソフトウェアが使用される場合、実施形態のすべてまたは一部は、コンピュータプログラム製品の形で実装されてよい。コンピュータプログラム製品は、1つまたは複数のコンピュータ命令を含む。コンピュータプログラム命令が装置上でロードされて実行されると、本発明の実施形態による手順または機能の全部または一部が生成される。コンピュータ命令は、コンピュータ可読記憶媒体に記憶されてもよいし、コンピュータ可読記憶媒体から別のコンピュータ可読記憶媒体に送信されてもよい。例えば、コンピュータ命令は、有線（例えば、同軸光ケーブル、光ファイバ、またはデジタル加入者回線）または無線（例えば、赤外線、無線、またはマイクロ波）方式で、ウェブサイト、コンピュータ、サーバ、またはデータセンターから別のウェブサイト、コンピュータ、サーバ、またはデータセンターに送信されてもよい。コンピュータ可読記憶媒体は、装置によってアクセス可能な任意の利用可能な媒体、あるいは1つまたは複数の利用可能な媒体を統合するサーバまたはデータセンターなどのデータ記憶装置であってもよい。使用可能媒体は、磁気媒体（例えば、フロッピーディスク、ハードディスク、または磁気テープ）、光学媒体（例えば、デジタルビデオディスク（Digital Video Disk、DVD））、または半導体媒体（例えば、ソリッドステートドライブ）などであってよい。
【０１９１】
上述の説明は、本願の単なる実施形態であり、本願を限定するように意図されない。本願の趣旨および原理から逸脱することなく行われた変更、同等な交換、または改良は、本願の保護範囲に含まれるべきである。
【符号の説明】
【０１９２】
201  受信機
202  プロセッサ
203  メモリ
204  送信機
810  取得モジュール
820  判定モジュール
830  割り当てモジュール
【図１】
2021530136.tif 000015
【図２】
2021530136.tif 000016
【図３】
2021530136.tif 000017
【図４】
2021530136.tif 000018
【図５】
2021530136.tif 000019
【図６】
2021530136.tif 000020
【図７】
2021530136.tif 000021
【図８】
2021530136.tif 000022
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
時間−周波数リソース割り当て方法であって、前記方法が、
割り当て対象のユーザ機器UEのアップリンク参照信号を取得するステップであって、前記アップリンク参照信号が、アップリンクチャネルサウンディング参照信号SRSおよび／または特定の参照信号DMRSを含む、ステップと、
前記アップリンク参照信号に基づいて、第1のプリセット数のビームを含む第2のプリセット数の直交ビーム群における各ビームを、各ビームのレベルを判定するために測定するステップと、
各ビームの前記レベルに基づいて、前記割り当て対象のUEのものであり、前記第2のプリセット数の直交ビーム群におけるビーム属性を判定するステップと、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当てるステップであって、前記割り当て済みのUEが同じ時間−周波数リソースを使用し、前記同じ時間−周波数リソースが、同じ時間−周波数リソースブロックRBまたは同じ時間−周波数リソースブロックグループRBGである、ステップと
を含む、方法。
【請求項２】
前記アップリンク参照信号に基づいて、第1のプリセット数のビームを含む第2のプリセット数の直交ビーム群における各ビームを、各ビームのレベルを判定するために測定する、前記ステップが、
前記アップリンク参照信号に基づいて、前記第1のプリセット数のビームを含む前記第2のプリセット数の直交ビーム群における各ビームを、各ビームの等価チャネル応答を判定するために測定するステップと、
各ビームの前記等価チャネル応答に基づいて、各ビームの前記レベルを判定するステップと
を含む、請求項1に記載の方法。
【請求項３】
各ビームの前記レベルに基づいて、前記割り当て対象のUEのものであり、前記第2のプリセット数の直交ビーム群におけるビーム属性を判定する、前記ステップが、
各直交ビーム群について、プリセット条件を満たすターゲットビームが前記直交ビーム群に存在する場合、前記割り当て対象のUEのものであり、前記直交ビーム群におけるビーム属性が前記ターゲットビームであると判定するステップ、またはプリセット条件を満たすビームが前記直交ビーム群に存在しない場合、前記割り当て対象のUEのものであり、前記直交ビーム群におけるビーム属性が結合属性であると判定するステップであって、前記プリセット条件が、前記ターゲットビームのレベルと前記直交ビーム群における前記ターゲットビーム以外のビームのレベルとの間の差がプリセット値以上であることである、ステップ
を含む、請求項1に記載の方法。
【請求項４】
前記割り当て対象のUEおよび前記割り当て済みのUEに割り当てられた時間−周波数リソースが、ダウンリンク伝送に使用され、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当てる、前記ステップが、
前記割り当て対象のUEの伝送モードおよび前記割り当て済みのUEの伝送モードを判定するステップと、
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEに前記時間−周波数リソースを割り当てるステップと
を含む、請求項3に記載の方法。
【請求項５】
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEに前記時間−周波数リソースを割り当てる、前記ステップが、
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てるステップ
を含む、請求項4に記載の方法。
【請求項６】
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てる、前記ステップが、
セル固有の参照信号CRSベースのマルチプル・インプット・マルチプル・アウトプットMIMO伝送モードを使用する少なくとも1つのUEが前記割り当て対象のUEおよび前記割り当て済みのUEに存在する場合、前記割り当て対象のUEが属するセルの物理セル識別子PCIと、前記割り当て済みのUEが属するセルのPCIとを取得するステップと、
前記割り当て対象のUEのものであり、前記第2のプリセット数の直交ビーム群における前記ビーム属性と、前記割り当て済みのUEのものであり、前記第2のプリセット数の直交ビーム群における前記ビーム属性と、前記割り当て対象のUEが属する前記セルの前記PCIと、前記割り当て済みのUEが属する前記セルの前記PCIとに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てるステップと
を含む、請求項5に記載の方法。
【請求項７】
前記割り当て対象のUEのものであり、前記第2のプリセット数の直交ビーム群における前記ビーム属性と、前記割り当て済みのUEのものであり、前記第2のプリセット数の直交ビーム群における前記ビーム属性と、前記割り当て対象のUEが属する前記セルの前記PCIと、前記割り当て済みのUEが属する前記セルの前記PCIとに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てる、前記ステップが、
前記割り当て対象のUEおよび前記割り当て済みのUEが前記直交マッチング条件を満たすと判定された後、前記割り当て対象のUEの前記伝送モードが前記MIMO伝送モードであり、前記割り当て対象のUEが属する前記セルの前記PCIが、前記割り当て済みのUEにあり、その伝送モードが前記MIMO伝送モードであるUEが属するセルのPCIとは異なり、前記割り当て対象のUEが属する前記セルの前記PCIが、前記割り当て済みのUEにあり、その伝送モードがBF伝送モードであるUEが属するセルのPCIとは異なり、前記第2のプリセット数の直交ビーム群のうちの少なくとも1つにおいて、前記割り当て対象のUEのビーム属性も、前記割り当て済みのUEにおける第1のUEのビーム属性も前記結合属性ではなく、前記割り当て対象のUEの前記ビーム属性が、前記第1のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当てるステップであって、前記第1のUEが前記割り当て済みのUEにおける任意のUEである、ステップ、または
前記割り当て対象のUEおよび前記割り当て済みのUEが前記直交マッチング条件を満たすと判定された後、前記割り当て対象のUEの前記伝送モードがBF伝送モードであり、前記割り当て対象のUEが属する前記セルの前記PCIが、前記割り当て済みのUEにあり、その伝送モードが前記MIMO伝送モードであるUEが属するセルのPCIとは異なり、前記第2のプリセット数の直交ビーム群のうちの少なくとも1つにおいて、前記割り当て対象のUEのビーム属性も、前記割り当て済みのUEにおける第2のUEのビーム属性も前記結合属性ではなく、前記割り当て対象のUEの前記ビーム属性が、前記割り当て済みのUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当てるステップであって、前記第2のUEが前記割り当て済みのUEにおける任意のUEである、ステップ
を含む、請求項6に記載の方法。
【請求項８】
前記割り当て対象のUEの前記伝送モードと、前記割り当て済みのUEの前記伝送モードと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てる、前記ステップが、
前記割り当て対象のUEおよび前記割り当て済みのUEが前記直交マッチング条件を満たすと判定された後、前記割り当て対象のUEおよび前記割り当て済みのUEの前記伝送モードがそれぞれBF伝送モードであり、前記第2のプリセット数の直交ビーム群のうちの少なくとも1つにおいて、前記割り当て対象のUEのビーム属性も前記割り当て済みのUEにおける第3のUEのビーム属性も前記結合属性ではなく、前記割り当て対象のUEの前記ビーム属性が、前記第3のUEの前記ビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当てるステップであって、前記第3のUEが前記割り当て済みのUEにおける任意のUEである、ステップ
を含む、請求項5に記載の方法。
【請求項９】
前記割り当て対象のUEおよび前記割り当て済みのUEに割り当てられた時間−周波数リソースが、アップリンク伝送に使用され、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当てる、前記ステップが、
前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てるステップ
を含む、請求項3に記載の方法。
【請求項１０】
前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが直交マッチング条件を満たすと判定された場合、前記割り当て対象のUEに、前記割り当て済みのUEに割り当てられた前記時間−周波数リソースが属する同じ時間−周波数リソース内の時間−周波数リソースを割り当てる、前記ステップが、
前記割り当て対象のUEが属するセルのPCIと、前記割り当て済みのUEが属するセルのPCIとを取得するステップと、
前記割り当て対象のUEが属する前記セルの前記PCIと、前記割り当て済みのUEが属する前記セルの前記PCIと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てるステップと
を含む、請求項9に記載の方法。
【請求項１１】
前記割り当て対象のUEが属する前記セルの前記PCIと、前記割り当て済みのUEが属する前記セルの前記PCIと、前記割り当て対象のUEのものであり、前記第2のプリセット数の直交ビーム群における前記ビーム属性と、前記割り当て済みのUEのものであり、前記第2のプリセット数の直交ビーム群における前記ビーム属性とに基づいて、前記割り当て対象のUEおよび前記割り当て済みのUEが前記直交マッチング条件を満たすと判定された場合、前記割り当て対象のUEに、前記割り当て済みのUEに割り当てられた前記時間−周波数リソースが属する同じ時間−周波数リソース内の前記時間−周波数リソースを割り当てる、前記ステップが、
前記割り当て対象のUEおよび前記割り当て済みのUEが前記直交マッチング条件を満たすと判定された後、前記割り当て対象のUEが属する前記セルの前記PCIが、前記割り当て済みのUEにおける任意のUEが属するセルのPCIとは異なり、前記第2のプリセット数の直交ビーム群のうちの少なくとも1つにおいて、前記割り当て対象のUEのビーム属性も、前記割り当て済みのUEにおける第4のUEのビーム属性も前記結合属性ではなく、前記割り当て対象のUEの前記ビーム属性が、前記第4のUEのビーム属性とは完全に異なる場合、前記割り当て対象のUEに、前記割り当て済みのUEに割り当てられた前記時間−周波数リソースが属する同じ時間−周波数リソース内の前記時間−周波数リソースを割り当てるステップであって、前記第4のUEが前記割り当て済みのUEにおける任意のUEである、ステップ
を含む、請求項10に記載の方法。
【請求項１２】
時間−周波数リソース割り当て基地局であって、前記基地局がプロセッサを備え、
前記プロセッサが、
割り当て対象のユーザ機器UEのアップリンク参照信号を取得し、前記アップリンク参照信号が、アップリンクチャネルサウンディング参照信号SRSおよび／または特定の参照信号DMRSを含み、
前記アップリンク参照信号に基づいて、第1のプリセット数のビームを含む第2のプリセット数の直交ビーム群における各ビームを、各ビームのレベルを判定するために測定し、
各ビームの前記レベルに基づいて、前記割り当て対象のUEのものであり、前記第2のプリセット数の直交ビーム群におけるビーム属性を判定し、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当て、前記割り当て済みのUEが同じ時間−周波数リソースを使用し、前記同じ時間−周波数リソースが、同じ時間−周波数リソースブロックRBまたは同じ時間−周波数リソースブロックグループRBGである、
ように構成される、基地局。
【請求項１３】
時間−周波数リソース割り当て装置であって、前記装置が、
割り当て対象のユーザ機器UEのアップリンク参照信号を取得し、前記アップリンク参照信号が、アップリンクチャネルサウンディング参照信号SRSおよび／または特定の参照信号DMRSを含む、ように構成される取得モジュールと、
前記アップリンク参照信号に基づいて、第1のプリセット数のビームを含む第2のプリセット数の直交ビーム群における各ビームを、各ビームのレベルを判定するために測定し、各ビームの前記レベルに基づいて、前記割り当て対象のUEのものであり、前記第2のプリセット数の直交ビーム群におけるビーム属性を判定する、ように構成される判定モジュールと、
前記割り当て対象のUEのものであり、前記第2のプリセット数の直交ビーム群における前記ビーム属性と、1つまたは複数の割り当て済みのUEのものであり、前記第2のプリセット数の直交ビーム群におけるビーム属性とに基づいて、前記割り当て対象のUEに時間−周波数リソースを割り当て、前記割り当て済みのUEが同じ時間−周波数リソースを使用し、前記同じ時間−周波数リソースが、同じ時間−周波数リソースブロックRBまたは同じ時間−周波数リソースブロックグループRBGである、ように構成される割り当てモジュールと
を備える、装置。
【請求項１４】
命令を含むコンピュータプログラムであって、前記コンピュータプログラムが基地局上で実行されると、前記基地局が請求項1から11のいずれか一項に記載の方法を実行することが可能になる、コンピュータプログラム。
【請求項１５】
コンピュータ可読記憶媒体であって、前記コンピュータ可読記憶媒体が命令を記憶し、前記コンピュータ可読記憶媒体が基地局上で実行されると、前記基地局が請求項1から11のいずれか一項に記載の方法を実行することが可能になる、コンピュータ可読記憶媒体。
【国際調査報告】
2021530136.tif 000023
2021530136.tif 000024
2021530136.tif 000025
2021530136.tif 000026